(57)【特許請求の範囲】
【請求項１】
各診断情報に含まれる複数の項目に係る複数の語句の組合せを、それぞれ示す複数の組合せ情報を記憶する記憶部と、
所定の出題ルールに従って、前記複数の組合せ情報に基づき前記複数の項目に含まれる所定数の項目について項目毎に１以上の語句が示されるとともに、前記複数の組合せ情報に含まれる一組合せ情報に対し、前記所定数の項目のうちの少なくとも一項目について複数の語句が複数の選択肢として示される第１形式および前記所定数の項目のうちの少なくとも一項目について少なくとも一語句が空欄の状態で示される第２形式の少なくとも一方の形式が採用される出題条件情報を生成する情報生成部と、
前記出題条件情報に基づいて出題条件画像を表示する表示部と、
前記出題条件情報において前記第１形式が採用されれば、ユーザによって信号入力部から入力される信号に応答して前記複数の選択肢から一選択肢を指定し、前記出題条件情報において前記第２形式が採用されれば、ユーザによって前記信号入力部から入力される信号に応答して前記空欄に係る一語句を指定する指定部と、
前記指定部によって前記一選択肢が指定されれば、該一選択肢が前記一組合せ情報に対応する正答であるか否かを判定し、前記指定部によって前記一語句が指定されれば、該一語句が前記一組合せ情報に対応する正答であるか否かを判定する判定部と、
を備えることを特徴とする学習支援システム。
【請求項２】
請求項１に記載の学習支援システムであって、
各前記組合せ情報が、
一診断情報に含まれる前記複数の項目に係る複数の語句と１以上の症例画像との組合せを示す情報を有し、
前記記憶部が、
前記複数の組合せ情報に係る複数の症例画像を記憶し、
前記学習支援システムが、
前記記憶部内の前記複数の症例画像から、前記一組合せ情報に係る１以上の出題用症例画像を抽出する抽出部、を更に備え、
前記表示部が、
前記１以上の出題用症例画像と前記出題条件画像とを、同時に表示するか、またはユーザによって前記信号入力部から入力される信号に応答して順次に表示することを特徴とする学習支援システム。
【請求項３】
請求項１または請求項２に記載の学習支援システムであって、
前記複数の組合せ情報における前記複数の項目のうちの所定の項目に係る各語句が、用語と修飾語とを含むことを特徴とする学習支援システム。
【請求項４】
請求項１から請求項３の何れか１つの請求項に記載の学習支援システムであって、
前記記憶部が、
各語句に対して同義語が関連付けられている辞書情報を記憶し、
前記判定部が、
前記指定部によって前記一語句が指定されれば、前記辞書情報を参照して、該一語句および該一語句の同義語が、前記一組合せ情報に含まれている正答であるか否かを判定することを特徴とする学習支援システム。
【請求項５】
請求項１から請求項４の何れか１つの請求項に記載の学習支援システムであって、
通信回線によって接続されるサーバと第１端末機器と第２端末機器とを含み、
前記サーバが、
前記記憶部と前記情報生成部と前記判定部とを有し、
前記第１端末機器が、
第１信号入力部と第１表示部と第１制御部とを有し、
前記第２端末機器が、
第２信号入力部と第２表示部と第２制御部とを有し、
前記情報生成部が、
ユーザによって前記第１信号入力部から入力される信号に応答して前記第１制御部で生成される信号に応じて、前記出題条件情報を生成し、
前記第１制御部と前記第２制御部とが、
前記出題条件情報を前記通信回線を介して取得し、
前記表示部が、
前記第１表示部と前記第２表示部とを含み、
前記第１表示部が、
前記第１制御部の制御によって前記出題条件情報に基づき前記出題条件画像を表示し、
前記第２表示部が、
前記第２制御部の制御によって前記出題条件情報に基づき前記出題条件画像を表示し、
前記指定部が、
前記第２制御部に含まれ、ユーザによって前記第２信号入力部から入力される信号に応答して、前記一選択肢および前記一語句のうちの少なくとも一方を指定し、
前記第１制御部が、
前記指定部による指定結果に係る情報を前記通信回線を介して取得し、
前記第１表示部が、
前記第１制御部の制御に基づいて前記指定部による前記指定結果を表示することを特徴とする学習支援システム。
【請求項６】
各診断情報に含まれる複数の項目に係る複数の語句と１以上の症例画像との組合せを、それぞれ示す複数の組合せ情報と、該複数の組合せ情報に係る複数の症例画像とを記憶する記憶部と、
所定の出題ルールに従って、前記複数の組合せ情報に含まれる一組合せ情報に基づき、前記複数の項目に含まれる所定数の項目について項目毎に１以上の語句が示され、且つ前記一組合せ情報に係る診断条件を提示するための出題条件情報を生成する情報生成部と、
前記所定の出題ルールに従って、前記記憶部内の前記複数の症例画像から、前記一組合せ情報に係る１以上の症例画像と、該１以上の症例画像とは異なる他の症例画像とを含む複数の出題用症例画像を抽出する抽出部と、
前記複数の出題用症例画像と前記出題条件情報に基づく出題条件画像とを、同時に表示するか、またはユーザによって信号入力部から入力される信号に応答して順次に表示する表示部と、
ユーザによって前記信号入力部から入力される信号に応答して、前記複数の出題用症例画像から１以上の出題用症例画像を指定する指定部と、
前記指定部によって指定される１以上の出題用症例画像が、前記一組合せ情報に対応するか否かを判定する判定部と、
を備えることを特徴とする学習支援システム。
【請求項７】
請求項６に記載の学習支援システムであって、
前記判定部が、
前記指定部によって指定される１以上の出題用症例画像が、前記一組合せ情報に対応していれば、正解として判定することを特徴とする学習支援システム。
【請求項８】
請求項６に記載の学習支援システムであって、
前記判定部が、
前記指定部によって指定される１以上の出題用症例画像が、前記一組合せ情報に対応しない場合に正解として判定することを特徴とする学習支援システム。
【請求項９】
請求項６に記載の学習支援システムであって、
前記情報生成部が、
前記複数の組合せ情報に含まれる２以上の組合せ情報に基づき、前記所定数の項目について項目毎に１以上の語句が示され且つ２以上の前記診断条件を提示するための前記出題条件情報を生成し、
前記抽出部が、
前記記憶部内の前記複数の症例画像から、前記２以上の組合せ情報に係る２以上の症例画像を含む前記複数の出題用症例画像を抽出し、
前記指定部が、
ユーザによって前記信号入力部から入力される信号に応答して、前記複数の出題用症例画像から各前記診断条件に対する前記出題用症例画像を指定し、
前記判定部が、
前記指定部によって指定される前記診断条件と前記出題用症例画像との各組が、前記２以上の組合せ情報に対応するか否かを判定することを特徴とする学習支援システム。
【請求項１０】
請求項６から請求項９の何れか１つの請求項に記載の学習支援システムであって、
通信回線によって接続されるサーバと第１端末機器と第２端末機器とを含み、
前記サーバが、
前記記憶部と前記情報生成部と前記抽出部と前記判定部とを有し、
前記第１端末機器が、
第１信号入力部と第１表示部と第１制御部とを有し、
前記第２端末機器が、
第２信号入力部と第２表示部と第２制御部とを有し、
前記情報生成部が、
ユーザによって前記第１信号入力部から入力される信号に応答して前記第１制御部で生成される信号に応じて、前記出題条件情報を生成し、
前記抽出部が、
ユーザによって前記第１信号入力部から入力される信号に応答して前記第１制御部で生成される信号に応じて、前記記憶部内の前記複数の症例画像から前記複数の出題用症例画像を抽出し、
前記第１制御部と前記第２制御部とが、
前記出題条件情報と前記複数の出題用症例画像とを前記通信回線を介して取得し、
前記表示部が、
前記第１表示部と前記第２表示部とを含み、
前記第１表示部が、
前記第１制御部の制御によって前記出題条件情報に基づく前記出題条件画像と前記複数の出題用症例画像とを表示し、
前記第２表示部が、
前記第２制御部の制御によって前記出題条件情報に基づく前記出題条件画像と前記複数の出題用症例画像とを表示し、
前記指定部が、
前記第２制御部に含まれ、ユーザによって前記第２信号入力部から入力される信号に応答して、前記１以上の出題用症例画像を指定し、
前記第１制御部が、
前記指定部による指定結果に係る情報を前記通信回線を介して取得し、
前記第１表示部が、
前記第１制御部の制御に基づいて前記指定部による前記指定結果を表示することを特徴とする学習支援システム。
【請求項１１】
請求項１から請求項１０の何れか１つの請求項に記載の学習支援システムであって、
前記記憶部が、
前記複数の組合せ情報における複数の語句の組合せ毎の強度を示す組合せ強度情報を更に記憶し、
前記情報生成部が、
前記組合せ強度情報に従って認識される前記複数の組合せ情報のうちの前記一組合せ情報に基づき、前記出題条件情報を生成することを特徴とする学習支援システム。
【請求項１２】
請求項１から請求項５の何れか１つの請求項に記載の学習支援システムであって、
前記判定部による判定結果に基づいて出題毎の統計情報を生成する統計情報生成部と、
前記統計情報に基づいて、前記少なくとも一項目の項目数、前記複数の選択肢の数、前記空欄の数のうちの少なくとも何れか一つの数を変化させることで前記所定の出題ルールを変更する変更部と、
を更に備えることを特徴とする学習支援システム。
【請求項１３】
請求項１から請求項１１の何れか１つの請求項に記載の学習支援システムであって、
前記判定部による判定結果に基づいて出題毎の統計情報を生成する統計情報生成部と、
前記統計情報に基づいて複数の出題を分類することで前記所定の出題ルールを変更する変更部と、
を更に備えることを特徴とする学習支援システム。
【請求項１４】
請求項１から請求項１３の何れか１つの請求項に記載の学習支援システムであって、
前記情報生成部が、
ユーザによって前記信号入力部から入力される信号に応答して、前記一組合せ情報のうちの前記所定数の項目以外の残余の少なくとも一部の項目に係る語句を示す参考情報を生成し、
前記表示部が、
前記参考情報に基づいて前記参考情報画像を表示することを特徴とする学習支援システム。
【請求項１５】
請求項１４に記載の学習支援システムであって、
前記判定部によって正答と判定される場合に、前記記憶部内のユーザ毎の得点情報に対して得点を付与する付与部、を更に備え、
前記付与部が、
前記表示部に前記参考情報画像が表示された場合に、前記得点を減じることを特徴とする学習支援システム。
【請求項１６】
請求項１から請求項１５の何れか１つの請求項に記載の学習支援システムであって、
新規な診断情報の入力を受け付ける受付部と、
前記受付部で受け付けられる前記新規な診断情報から前記複数の項目に関する複数の語句を抽出して、該複数の語句の組合せを示す新規な組合せ情報を得る解析部と、
前記記憶部内の前記複数の組合せ情報に、前記解析部で得られる前記新規な組合せ情報を追加する更新部と、
を更に備えることを特徴とする学習支援システム。
【請求項１７】
請求項１から請求項１６の何れか１つの請求項に記載の学習支援システムであって、
前記複数の組合せ情報が、
ＲＤＦによって記述されていることを特徴とする学習支援システム。
【請求項１８】
(a)情報生成部によって、所定の出題ルールに従って、各診断情報に含まれる複数の項目に係る複数の語句の組合せをそれぞれ示し且つ記憶部に記憶された複数の組合せ情報に基づき前記複数の項目に含まれる所定数の項目について項目毎に１以上の語句が示されるとともに、前記複数の組合せ情報に含まれる一組合せ情報に対し、前記所定数の項目のうちの少なくとも一項目について複数の語句が複数の選択肢として示される第１形式および前記所定数の項目のうちの少なくとも一項目について少なくとも一語句が空欄の状態で示される第２形式の少なくとも一方の形式が採用される出題条件情報を生成するステップと、
(b)制御部によって、前記出題条件情報に基づいて出題条件画像を表示部に表示するステップと、
(c)指定部によって、前記出題条件情報において前記第１形式が採用されれば、ユーザによって信号入力部から入力される信号に応答して前記複数の選択肢から一選択肢を指定し、前記出題条件情報において前記第２形式が採用されれば、ユーザによって前記信号入力部から入力される信号に応答して前記空欄に係る一語句を指定するステップと、
(d)判定部によって、前記(c)ステップにおいて前記一選択肢が指定されれば、該一選択肢が前記一組合せ情報に対応する正答であるか否かを判定し、前記(c)ステップにおいて前記一語句が指定されれば、該一語句が前記一組合せ情報に対応する正答であるか否かを判定するステップと、
を備えることを特徴とする学習支援方法。
【請求項１９】
(A)情報生成部によって、所定の出題ルールに従って、各診断情報に含まれる複数の項目に係る複数の語句と１以上の症例画像との組合せをそれぞれ示し且つ記憶部に記憶された複数の組合せ情報に含まれる一組合せ情報に基づき、前記複数の項目に含まれる所定数の項目について項目毎に１以上の語句が示され、且つ前記一組合せ情報に係る診断条件を提示するための出題条件情報を生成するステップと、
(B)抽出部によって、前記所定の出題ルールに従って、前記記憶部内に記憶された前記複数の組合せ情報に係る複数の症例画像から、前記一組合せ情報に係る１以上の症例画像と、該１以上の症例画像とは異なる他の症例画像とを含む複数の出題用症例画像を抽出するステップと、
(C)制御部によって、前記複数の出題用症例画像と前記出題条件情報に基づく出題条件画像とを、同時に表示するか、またはユーザによって信号入力部から入力される信号に応答して順次に表示部に表示するステップと、
(D)指定部によって、ユーザによって前記信号入力部から入力される信号に応答して、前記複数の出題用症例画像から１以上の出題用症例画像を指定するステップと、
(E)判定部によって、前記(D)ステップにおいて指定される１以上の出題用症例画像が、前記一組合せ情報に対応するか否かを判定するステップと、
を備えることを特徴とする学習支援方法。
【発明の詳細な説明】
【技術分野】
【０００１】
本発明は、学習を支援するための技術に関する。
【背景技術】
【０００２】
近年、ｅ−ラーニングと呼ばれるコンピュータを用いた学習システムが普及している。
【０００３】
この学習システムとして、例えば、看護に関する問題解決能力を育成するための看護実践事例学習用のｅ−ラーニング学習システムが提案されている（例えば、特許文献１）。この技術では、例えば、学習者は、コンピュータの画面上における操作により、画面上において、看護に関する情報を含むコンテンツを閲覧することができ、該当箇所に関する質問事項と学習者の回答とを併記することが可能である。
【０００４】
また、学習者の回答の評価と採点とが行われて表示される画像診断学習支援方法が提案されている（例えば、特許文献２）。この技術では、画像と診断情報とが所見群項目表の同一の所見記号を介して連結されて記録されたデータベースから、学習者が所望の学習画像を選択すると、所見群項目表と診断情報記憶手段とから当該画像に関する質問が作成および表示される。
【０００５】
また、医師および医学生の正確な確定診断技術を培うために、効率の良い医療診断教育支援方法および装置が提案されている（例えば、特許文献３）。この技術では、特定の傷病の患者が自動的に想定されて、症状の初見情報、診察所見情報、検査情報の各収集を順に経た後に入力される傷病名の解答と正答とが比較されて評価される。
【０００６】
また、診断名を隠して症例を見ることが可能な自己学習のコンテンツを提供するＷｅｂサイトが存在している（例えば、非特許文献１）。この技術では、キーワード、部位、モダリティ、年齢等の諸条件から症例が検索され、検索結果の一症例が選択されると、該一症例に係る症例概要と画像インデックスとが表示され、解答ボタンのクリックによって該一症例に係る診断と解説とが閲覧可能となる。
【先行技術文献】
【特許文献】
【０００７】
【特許文献１】特開２００７−１１４７６９号公報
【特許文献２】特開平７−２７１８７２号公報
【特許文献３】特開平５−２５７４１８号公報
【非特許文献】
【０００８】
【非特許文献１】独立行政法人国立がん研究センターがん対策情報センター、”がん診断画像レファレンスデータベース＞症例検索”［2011年3月9日検索］、インターネット〈URL：http://cir.ncc.go.jp/cirweb/UnkwnRtrv?LANG=J〉
【発明の概要】
【発明が解決しようとする課題】
【０００９】
しかしながら、上記特許文献１の技術は、単純に質問が出され、その質問に学習者が解答するものであり、上記特許文献２の技術は、選択された画像について単純に質問が作成されて表示され、その質問に学習者が解答するものである。また、上記特許文献３の技術は、順に情報を収集して傷病名を解答するものであり、上記非特許文献１の技術は、症例概要と検査画像とが表示されて診断を考えさせるものである。このため、上記特許文献１〜３および上記非特許文献１の各技術は、様々な条件に応じて多様な切り口で出題がなされるものではない。
【００１０】
本発明は、上記課題に鑑みてなされたものであり、多様な切り口での出題が容易に行われ得る学習支援技術を提供することを目的とする。
【課題を解決するための手段】
【００１１】
上記課題を解決するために、第１の態様に係る学習支援システムは、各診断情報に含まれる複数の項目に係る複数の語句の組合せを、それぞれ示す複数の組合せ情報を記憶する記憶部と、所定の出題ルールに従って、前記複数の組合せ情報に基づき前記複数の項目に含まれる所定数の項目について項目毎に１以上の語句が示されるとともに、前記複数の組合せ情報に含まれる一組合せ情報に対し、前記所定数の項目のうちの少なくとも一項目について複数の語句が複数の選択肢として示される第１形式および前記所定数の項目のうちの少なくとも一項目について少なくとも一語句が空欄の状態で示される第２形式の少なくとも一方の形式が採用される出題条件情報を生成する情報生成部と、前記出題条件情報に基づいて出題条件画像を表示する表示部と、前記出題条件情報において前記第１形式が採用されれば、ユーザによって信号入力部から入力される信号に応答して前記複数の選択肢から一選択肢を指定し、前記出題条件情報において前記第２形式が採用されれば、ユーザによって前記信号入力部から入力される信号に応答して前記空欄に係る一語句を指定する指定部と、前記指定部によって前記一選択肢が指定されれば、該一選択肢が前記一組合せ情報に対応する正答であるか否かを判定し、前記指定部によって前記一語句が指定されれば、該一語句が前記一組合せ情報に対応する正答であるか否かを判定する判定部と、を備える。
【００１２】
第２の態様に係る学習支援システムは、第１の態様に係る学習支援システムであって、各前記組合せ情報が、一診断情報に含まれる前記複数の項目に係る複数の語句と１以上の症例画像との組合せを示す情報を有し、前記記憶部が、前記複数の組合せ情報に係る複数の症例画像を記憶し、前記学習支援システムが、前記記憶部内の前記複数の症例画像から、前記一組合せ情報に係る１以上の出題用症例画像を抽出する抽出部、を更に備え、前記表示部が、前記１以上の出題用症例画像と前記出題条件画像とを、同時に表示するか、またはユーザによって前記信号入力部から入力される信号に応答して順次に表示する。
【００１３】
第３の態様に係る学習支援システムは、第１または第２の態様に係る学習支援システムであって、前記複数の組合せ情報における前記複数の項目のうちの所定の項目に係る各語句が、用語と修飾語とを含む。
【００１４】
第４の態様に係る学習支援システムは、第１から第３の何れか１つの態様に係る学習支援システムであって、前記記憶部が、各語句に対して同義語が関連付けられている辞書情報を記憶し、前記判定部が、前記指定部によって前記一語句が指定されれば、前記辞書情報を参照して、該一語句および該一語句の同義語が、前記一組合せ情報に含まれている正答であるか否かを判定する。
【００１５】
第５の態様に係る学習支援システムは、第１から第４の何れか１つの態様に係る学習支援システムであって、通信回線によって接続されるサーバと第１端末機器と第２端末機器とを含み、前記サーバが、前記記憶部と前記情報生成部と前記判定部とを有し、前記第１端末機器が、第１信号入力部と第１表示部と第１制御部とを有し、前記第２端末機器が、第２信号入力部と第２表示部と第２制御部とを有し、前記情報生成部が、ユーザによって前記第１信号入力部から入力される信号に応答して前記第１制御部で生成される信号に応じて、前記出題条件情報を生成し、前記第１制御部と前記第２制御部とが、前記出題条件情報を前記通信回線を介して取得し、前記表示部が、前記第１表示部と前記第２表示部とを含み、前記第１表示部が、前記第１制御部の制御によって前記出題条件情報に基づき前記出題条件画像を表示し、前記第２表示部が、前記第２制御部の制御によって前記出題条件情報に基づき前記出題条件画像を表示し、前記指定部が、前記第２制御部に含まれ、ユーザによって前記第２信号入力部から入力される信号に応答して、前記一選択肢および前記一語句のうちの少なくとも一方を指定し、前記第１制御部が、前記指定部による指定結果に係る情報を前記通信回線を介して取得し、前記第１表示部が、前記第１制御部の制御に基づいて前記指定部による前記指定結果を表示する。
【００１６】
第６の態様に係る学習支援システムは、各診断情報に含まれる複数の項目に係る複数の語句と１以上の症例画像との組合せを、それぞれ示す複数の組合せ情報と、該複数の組合せ情報に係る複数の症例画像とを記憶する記憶部と、所定の出題ルールに従って、前記複数の組合せ情報に含まれる一組合せ情報に基づき、前記複数の項目に含まれる所定数の項目について項目毎に１以上の語句が示され、且つ前記一組合せ情報に係る診断条件を提示するための出題条件情報を生成する情報生成部と、前記所定の出題ルールに従って、前記記憶部内の前記複数の症例画像から、前記一組合せ情報に係る１以上の症例画像と、該１以上の症例画像とは異なる他の症例画像とを含む複数の出題用症例画像を抽出する抽出部と、前記複数の出題用症例画像と前記出題条件情報に基づく出題条件画像とを、同時に表示するか、またはユーザによって信号入力部から入力される信号に応答して順次に表示する表示部と、ユーザによって前記信号入力部から入力される信号に応答して、前記複数の出題用症例画像から１以上の出題用症例画像を指定する指定部と、前記指定部によって指定される１以上の出題用症例画像が、前記一組合せ情報に対応するか否かを判定する判定部と、を備える。
【００１７】
第７の態様に係る学習支援システムは、第６の態様に係る学習支援システムであって、前記判定部が、前記指定部によって指定される１以上の出題用症例画像が、前記一組合せ情報に対応していれば、正解として判定する。
【００１８】
第８の態様に係る学習支援システムは、第６の態様に係る学習支援システムであって、前記判定部が、前記指定部によって指定される１以上の出題用症例画像が、前記一組合せ情報に対応しない場合に正解として判定する。
【００１９】
第９の態様に係る学習支援システムは、第６の態様に係る学習支援システムであって、前記情報生成部が、前記複数の組合せ情報に含まれる２以上の組合せ情報に基づき、前記所定数の項目について項目毎に１以上の語句が示され且つ２以上の前記診断条件を提示するための前記出題条件情報を生成し、前記抽出部が、前記記憶部内の前記複数の症例画像から、前記２以上の組合せ情報に係る２以上の症例画像を含む前記複数の出題用症例画像を抽出し、前記指定部が、ユーザによって前記信号入力部から入力される信号に応答して、前記複数の出題用症例画像から各前記診断条件に対する前記出題用症例画像を指定し、前記判定部が、前記指定部によって指定される前記診断条件と前記出題用症例画像との各組が、前記２以上の組合せ情報に対応するか否かを判定する。
【００２０】
第１０の態様に係る学習支援システムは、第６から第９の何れか１つの態様に係る学習支援システムであって、通信回線によって接続されるサーバと第１端末機器と第２端末機器とを含み、前記サーバが、前記記憶部と前記情報生成部と前記抽出部と前記判定部とを有し、前記第１端末機器が、第１信号入力部と第１表示部と第１制御部とを有し、前記第２端末機器が、第２信号入力部と第２表示部と第２制御部とを有し、前記情報生成部が、ユーザによって前記第１信号入力部から入力される信号に応答して前記第１制御部で生成される信号に応じて、前記出題条件情報を生成し、前記抽出部が、ユーザによって前記第１信号入力部から入力される信号に応答して前記第１制御部で生成される信号に応じて、前記記憶部内の前記複数の症例画像から前記複数の出題用症例画像を抽出し、前記第１制御部と前記第２制御部とが、前記出題条件情報と前記複数の出題用症例画像とを前記通信回線を介して取得し、前記表示部が、前記第１表示部と前記第２表示部とを含み、前記第１表示部が、前記第１制御部の制御によって前記出題条件情報に基づく前記出題条件画像と前記複数の出題用症例画像とを表示し、前記第２表示部が、前記第２制御部の制御によって前記出題条件情報に基づく前記出題条件画像と前記複数の出題用症例画像とを表示し、前記指定部が、前記第２制御部に含まれ、ユーザによって前記第２信号入力部から入力される信号に応答して、前記１以上の出題用症例画像を指定し、前記第１制御部が、前記指定部による指定結果に係る情報を前記通信回線を介して取得し、前記第１表示部が、前記第１制御部の制御に基づいて前記指定部による前記指定結果を表示する。
【００２１】
第１１の態様に係る学習支援システムは、第１から第１０の何れか１つの態様に係る学習支援システムであって、前記記憶部が、前記複数の組合せ情報における複数の語句の組合せ毎の強度を示す組合せ強度情報を更に記憶し、前記情報生成部が、前記組合せ強度情報に従って認識される前記複数の組合せ情報のうちの前記一組合せ情報に基づき、前記出題条件情報を生成する。
【００２２】
第１２の態様に係る学習支援システムは、第１から第５の何れか１つの態様に係る学習支援システムであって、前記判定部による判定結果に基づいて出題毎の統計情報を生成する統計情報生成部と、前記統計情報に基づいて、前記少なくとも一項目の項目数、前記複数の選択肢の数、前記空欄の数のうちの少なくとも何れか一つの数を変化させることで前記所定の出題ルールを変更する変更部と、を更に備える。
【００２３】
第１３の態様に係る学習支援システムは、第１から第１１の何れか１つの態様に係る学習支援システムであって、前記判定部による判定結果に基づいて出題毎の統計情報を生成する統計情報生成部と、前記統計情報に基づいて複数の出題を分類することで前記所定の出題ルールを変更する変更部と、を更に備える。
【００２４】
第１４の態様に係る学習支援システムは、第１から第１３の何れか１つの態様に係る学習支援システムであって、前記情報生成部が、ユーザによって前記信号入力部から入力される信号に応答して、前記一組合せ情報のうちの前記所定数の項目以外の残余の少なくとも一部の項目に係る語句を示す参考情報を生成し、前記表示部が、前記参考情報に基づいて参考情報画像を表示する。
【００２５】
第１５の態様に係る学習支援システムは、第１４の態様に係る学習支援システムであって、前記判定部によって正答と判定される場合に、前記記憶部内のユーザ毎の得点情報に対して得点を付与する付与部、を更に備え、前記付与部が、前記表示部に前記参考情報画像が表示された場合に、前記得点を減じる。
【００２６】
第１６の態様に係る学習支援システムは、第１から第１５の何れか１つの態様に係る学習支援システムであって、新規な診断情報の入力を受け付ける受付部と、前記受付部で受け付けられる前記新規な診断情報から前記複数の項目に関する複数の語句を抽出して、該複数の語句の組合せを示す新規な組合せ情報を得る解析部と、前記記憶部内の前記複数の組合せ情報に、前記解析部で得られる前記新規な組合せ情報を追加する更新部と、を更に備える。
【００２７】
第１７の態様に係る学習支援システムは、第１から第１６の何れか１つの態様に係る学習支援システムであって、前記複数の組合せ情報が、ＲＤＦによって記述されている。
【００２８】
第１８の態様に係る学習支援方法は、(a)情報生成部によって、所定の出題ルールに従って、各診断情報に含まれる複数の項目に係る複数の語句の組合せをそれぞれ示し且つ記憶部に記憶された複数の組合せ情報に基づき前記複数の項目に含まれる所定数の項目について項目毎に１以上の語句が示されるとともに、前記複数の組合せ情報に含まれる一組合せ情報に対し、前記所定数の項目のうちの少なくとも一項目について複数の語句が複数の選択肢として示される第１形式および前記所定数の項目のうちの少なくとも一項目について少なくとも一語句が空欄の状態で示される第２形式の少なくとも一方の形式が採用される出題条件情報を生成するステップと、(b)制御部によって、前記出題条件情報に基づいて出題条件画像を表示部に表示するステップと、(c)指定部によって、前記出題条件情報において前記第１形式が採用されれば、ユーザによって信号入力部から入力される信号に応答して前記複数の選択肢から一選択肢を指定し、前記出題条件情報において前記第２形式が採用されれば、ユーザによって前記信号入力部から入力される信号に応答して前記空欄に係る一語句を指定するステップと、(d)判定部によって、前記(c)ステップにおいて前記一選択肢が指定されれば、該一選択肢が前記一組合せ情報に対応する正答であるか否かを判定し、前記(c)ステップにおいて前記一語句が指定されれば、該一語句が前記一組合せ情報に対応する正答であるか否かを判定するステップと、を備える。
【００２９】
第１９の態様に係る学習支援方法は、(A)情報生成部によって、所定の出題ルールに従って、各診断情報に含まれる複数の項目に係る複数の語句と１以上の症例画像との組合せをそれぞれ示し且つ記憶部に記憶された複数の組合せ情報に含まれる一組合せ情報に基づき、前記複数の項目に含まれる所定数の項目について項目毎に１以上の語句が示され、且つ前記一組合せ情報に係る診断条件を提示するための出題条件情報を生成するステップと、(B)抽出部によって、前記所定の出題ルールに従って、前記記憶部内に記憶された前記複数の組合せ情報に係る複数の症例画像から、前記一組合せ情報に係る１以上の症例画像と、該１以上の症例画像とは異なる他の症例画像とを含む複数の出題用症例画像を抽出するステップと、(C)制御部によって、前記複数の出題用症例画像と前記出題条件情報に基づく出題条件画像とを、同時に表示するか、またはユーザによって信号入力部から入力される信号に応答して順次に表示部に表示するステップと、(D)指定部によって、ユーザによって前記信号入力部から入力される信号に応答して、前記複数の出題用症例画像から１以上の出題用症例画像を指定するステップと、(E)判定部によって、前記(D)ステップにおいて指定される１以上の出題用症例画像が、前記一組合せ情報に対応するか否かを判定するステップと、を備える。
【発明の効果】
【００３０】
第１から第１７の何れの態様に係る学習支援システムによっても、多様な切り口での出題が容易に行われ得る。
【００３１】
第１から第５の何れの態様に係る学習支援システムによっても、複数の項目のうちの任意の項目について、語句の選択および語句の穴埋めの少なくとも一方を答えさせる多様な切り口での出題が行われ得る。
【００３２】
第２の態様に係る学習支援システムによれば、症例画像を提示しつつ、複数の項目のうちの任意の項目について、語句の選択および語句の穴埋めの少なくとも一方を答えさせる多様な切り口での出題が行われ得る。
【００３３】
第３の態様に係る学習支援システムによれば、修飾語まで含めて、語句の選択および語句の穴埋めの少なくとも一方を行わせることが可能となる。
【００３４】
第４の態様に係る学習支援システムによれば、語句の穴埋めに係る判定が適正化され得る。
【００３５】
第５および第１０の何れの態様に係る学習支援システムによっても、出題者と解答者とが別々の端末機器を使う教育環境が構築され得る。また、解答者が複数であれば、各解答者が別々の端末機器を使用する教育環境が構築され得る。
【００３６】
第６から第１０の何れの態様に係る学習支援システムによっても、一診断情報について複数の項目の語句が示され、一診断情報に対する症例画像の当否を解答させる出題が行われ得る。
【００３７】
第７の態様に係る学習支援システムによれば、複数の症例画像について、出題条件に対応する症例画像を選択させる出題が行われ得る。
【００３８】
第８の態様に係る学習支援システムによれば、複数の症例画像について、出題条件に対応しない症例画像を選択させる出題が行われ得る。
【００３９】
第９の態様に係る学習支援システムによれば、複数の症例画像を診断条件毎に分類させる出題が行われ得る。
【００４０】
第１１の態様に係る学習支援システムによれば、複数の語句の組合せ毎の強度に応じた出題が可能となる。
【００４１】
第１２の態様に係る学習支援システムによれば、正答に係る判定結果についての出題毎の統計情報に基づいて、出題方法が変更され得る。
【００４２】
第１３の態様に係る学習支援システムによれば、正答に係る判定結果についての出題毎の統計情報に基づいて、出題のタイミングおよび順番の少なくとも一方が変更され得る。
【００４３】
第１４の態様に係る学習支援システムによれば、出題条件の項目とは別に他の項目の語句を参考にして解答させる出題が行われ得る。
【００４４】
第１５の態様に係る学習支援システムによれば、参考となる情報の表示の有無に応じて、得点が変更され得る。
【００４５】
第１６の態様に係る学習支援システムによれば、新たな診断情報も加味した適切な出題が行われ得る。
【００４６】
第１７の態様に係る学習支援システムによれば、複数の組合せ情報が容易に記述され得る。
【００４７】
第１８の態様に係る学習支援方法によれば、第１の態様に係る学習支援システムと同様な効果が得られる。
【００４８】
第１９の態様に係る学習支援方法によれば、第６の態様に係る学習支援システムと同様な効果が得られる。
【図面の簡単な説明】
【００４９】
【図１】一実施形態に係る学習支援システムの概略的な構成を例示する図である。
【図２】サーバの構成を示すブロック図である。
【図３】端末機器の構成を示すブロック図である。
【図４】サーバで実現される機能的な構成を示すブロック図である。
【図５】端末機器で実現される機能的な構成を示すブロック図である。
【図６】ユーザ情報テーブルのデータ内容を例示する図である。
【図７】組合せ情報のデータ内容を例示する図である。
【図８】組合せ情報ＤＢのデータ内容を例示する図である。
【図９】組合せ強度テーブルのデータ内容を例示する図である。
【図１０】辞書テーブルのデータ内容を例示する図である。
【図１１】検査部位とモダリティの組を選択する画面を例示する図である。
【図１２】学習モードを選択する画面を例示する図である。
【図１３】学習対象となるカテゴリを選択する画面を例示する図である。
【図１４】出題および解答のモードを設定する画面を例示する図である。
【図１５】学習の開始を選択する画面を例示する図である。
【図１６】出題用症例画像が表示されている画面を例示する図である。
【図１７】画面にヒントが表示されている状態を例示する図である。
【図１８】難易度１の解答画面を例示する図である。
【図１９】正解画面を例示する図である。
【図２０】難易度１の別の解答画面を例示する図である。
【図２１】難易度２の解答画面を例示する図である。
【図２２】難易度２の別の解答画面を例示する図である。
【図２３】難易度３の解答画面を例示する図である。
【図２４】難易度３の解答画面で修飾語を入力する様子を例示する図である。
【図２５】難易度３の別の解答画面を例示する図である。
【図２６】難易度４に係る解答画面を例示する図である。
【図２７】学習支援システムの動作フローを示すフローチャートである。
【図２８】学習支援システムの動作フローを示すフローチャートである。
【図２９】学習支援システムの動作フローを示すフローチャートである。
【図３０】第１変形例に係る難易度１の解答画面を例示する図である。
【図３１】第１変形例に係る難易度１の別の解答画面を例示する図である。
【図３２】第２変形例に係る解答画面を例示する図である。
【図３３】第２変形例に係る出題条件画像を表示する画面を例示する図である。
【図３４】第２変形例に係る別の解答画面を例示する図である。
【図３５】第２変形例に係る別の出題条件画像を表示する画面を例示する図である。
【図３６】第３変形例に係る機能的な構成を例示する図である。
【発明を実施するための形態】
【００５０】
以下、本発明の実施形態を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。
【００５１】
＜(１)学習支援システムの概略構成＞
図１は、一実施形態に係る学習支援システム１の概略的な構成を例示する図である。
【００５２】
学習支援システム１は、サーバ２と端末機器３〜７とを備えている。サーバ２と端末機器３〜７とは通信回線１ｎｗによってデータの送受信が可能に接続されている。通信回線１ｎｗは、例えば、インターネット回線およびＬＡＮ等であれば良い。サーバ２は、例えば、学習支援システム１を運営する団体または会社等に設置される。また、端末機器３〜７は、学習支援システム１を利用して学習を行うユーザ等によって使用される。
【００５３】
図２は、サーバ２の一構成を示すブロック図である。サーバ２は、例えば、パーソナルコンピュータ（パソコン）と同様に、操作部２１、表示部２２、インターフェース(Ｉ／Ｆ)部２３、記憶部２４、入出力(Ｉ／Ｏ)部２５、および制御部２６を備え、各部がバス２ｂｕｓを介してデータ送受信可能に接続される。
【００５４】
操作部２１は、例えば、ユーザによる各種ボタンの操作等によって信号を入力する信号入力部である。表示部２２は、例えば、各種表示デバイスであれば良い。Ｉ／Ｆ部２３は、通信回線１ｎｗにデータ送受信可能に接続される。記憶部２４は、例えば、プログラム２Ｐおよび各種情報を記憶する。Ｉ／Ｏ部２５は、例えば、ディスクドライブを備え、記憶媒体２７を受け付けて、制御部２６との間でデータの授受を行い得る。制御部２６は、プロセッサーとして働くＣＰＵ２６ａと、情報を一時的に記憶し得るメモリ２６ｂとを有し、サーバ２の各部を制御する。制御部２６では、記憶部２４内のプログラム２Ｐが読み込まれて実行されることで、各種機能および各種情報処理等が実現される。情報処理において一時的に生成されるデータは、メモリ２６ｂ等に適宜記憶される。
【００５５】
図３は、端末機器３〜７の構成を示すブロック図である。各端末機器３〜７は、同様な構成を有するため、ここでは、代表例として端末機器３の構成について説明する。端末機器３は、例えば、パソコン等の機能を有し、操作部３１、表示部３２、インターフェース(Ｉ／Ｆ)部３３、記憶部３４、入出力(Ｉ／Ｏ)部３５、および制御部３６を備え、各部がバス３ｂｕｓを介してデータ送受信可能に接続される。
【００５６】
操作部３１は、例えば、キーボードおよびマウスを有し、ユーザによる各種ボタンの操作等によって信号を入力する信号入力部である。表示部３２は、例えば、各種表示デバイスであれば良い。Ｉ／Ｆ部３３は、通信回線１ｎｗに対してデータの送受信が可能に接続される。記憶部３４は、例えば、プログラム３Ｐおよび各種情報を記憶する。Ｉ／Ｏ部３５は、例えば、ディスクドライブを備え、記憶媒体３７を受け付けて、制御部３６との間でデータの授受を行い得る。制御部３６は、プロセッサーとして働くＣＰＵ３６ａと、情報を一時的に記憶し得るメモリ３６ｂとを有し、端末機器３の各部を制御する。制御部３６では、記憶部３４内のプログラム３Ｐが読み込まれて実行されることで、各種機能および各種情報処理等が実現される。情報処理において一時的に生成されるデータは、メモリ３６ｂ等に適宜記憶される。
【００５７】
＜(２)学習支援システムの機能的な構成＞
図４は、サーバ２の制御部２６で実現される機能的な構成を示すブロック図である。この機能的な構成は、学習条件設定部２６１、組合せ認識部２６２、出題条件決定部２６３、出題情報生成部２６４、症例画像抽出部２６５、情報出力部２６６、要求受付部２６７、参考情報取得部２６８、解答受付部２６９、解答判定部２７０、得点付与部２７１、診断受付部２７２、診断解析部２７３、および情報更新部２７４を含む。
【００５８】
これらの機能的な構成が利用または生成する各種データは、記憶部２４に記憶される。具体的には、記憶部２４に記憶される各種データには、ユーザ情報テーブル２４１、組合せ情報データベース（ＤＢ）２４２、組合せ強度テーブル２４３、出題ルール情報２４４、症例画像データベース（ＤＢ）２４５、辞書テーブル２４６、解析ルール情報２４７、および診断情報ＤＢ２４８が含まれる。
【００５９】
図５は、各端末機器３〜７の制御部３６で実現される機能的な構成を示すブロック図である。この機能的な構成は、情報取得部３６１、表示制御部３６２、信号受付部３６３、条件指定部３６４、情報要求部３６５、解答指定部３６６、および情報送信部３６７を含む。
【００６０】
以下、記憶部２４内の各種データの内容、サーバ２の各種機能的な構成における処理、および端末機器３〜７の各種機能的な構成における処理について順に説明する。ここでは、端末機器３を操作するユーザが学習を行う場合を例に挙げて説明する。
【００６１】
＜(２−１)記憶部内の各種データ＞
ユーザ情報テーブル２４１は、学習支援システム１を利用するユーザの情報を記憶するテーブルである。図６で示されるように、ユーザ情報テーブル２４１には、例えば、ユーザ毎に、ユーザ名(USER NAME)、ユーザＩＤ(USER ID)、パスワード(PASS WORD)、学習レベル(LEVEL)、および総得点(TOTAL SCORE)等の情報が記述される。なお、学習レベルは、例えば、総得点が所定値を超える度に向上すれば良い。
【００６２】
組合せ情報ＤＢ２４２は、一診断情報に含まれる複数の項目に係る複数の語句の組合せを示す情報（組合せ情報とも言う）が複数蓄積される。ここで、一診断情報は、例えば、ある患者についての診断に供する検査に関する情報と診断を示す情報とを含む。なお、ここでは、一診断情報が、画像付きのレポートデータである例を挙げて説明する。また、組合せ情報は、例えば、ＲＤＦ(Resource Description Framework)で記述される。これにより、複数の組合せ情報が容易に記述され得る。
【００６３】
各組合せ情報では、図７で示されるように、例えば、画像付きのレポートデータのファイル名（例えばＡ−０００１）に対して、各属性値が関連付けられる。各組合せ情報は、例えば、画像付きのレポートデータが解析されることで取得され得る。
【００６４】
ここで、一診断情報に含まれる複数の項目には、例えば、年齢、性別、モダリティ、検査部位、カテゴリ、撮影条件、基本部位、基本所見、診断、および症例画像等といった画像付きのレポートデータを構成する要素が属する項目（分類項目とも言う）が含まれる。また、複数の項目には、更に詳細な項目（詳細項目とも言う）が含まれ、詳細項目には、例えば、基本部位に係る接頭語、接尾語、および修飾語等が含まれる。
【００６５】
複数の語句には、例えば、項目「年齢」に係る属性値「５３」、項目「性別」に係る属性値「Ｍ」、項目「検査部位」に係る属性値「ＣＨＥＳＴ」、項目「モダリティ」に係る属性値「ＣＲ」、および項目「カテゴリ」に係る属性値「肺」が含まれる。更に、複数の語句には、例えば、項目「撮影条件」に係る属性値「正面像」、項目「基本部位」に係る属性値「中肺野」、項目「基本所見」に係る属性値「浸潤影」、項目「診断」に係る属性値「肺炎」、項目「症例画像」に係る属性値「img15.jpg」が含まれる。なお、一組合せ情報の各項目には、１以上の語句が含まれ得る。
【００６６】
なお、項目「症例画像」に係る属性値は、例えば、症例画像を特定する情報（例えば、ファイル名）を示す。また、ある項目について、属性値に対して詳細項目に係る属性値（詳細属性値とも言う）が関連付けられる場合には、ある項目に関する語句は、属性値と詳細属性値とが組み合わされた語句とみなされ得る。詳細項目としては、例えば、接頭語および接尾語等といった修飾語が含まれ得る。具体的には、項目「基本部位」に係る属性値「中肺野」に対して詳細項目「接頭語」に係る詳細属性値「右」が関連付けられる場合には、項目「基本部位」に関する語句は、属性値「中肺野」と詳細属性値「右」とが組み合わされた語句「右中肺野」とみなされ得る。換言すれば、組合せ情報における複数の項目のうちの所定の項目に係る各語句には、用語と修飾語とが含まれ得る。
【００６７】
また、組合せ情報ＤＢ２４２は、例えば、図８で示されるように、複数の組合せ情報に含まれる複数の語句が項目毎に並べられ、各組合せ情報における複数の語句の組合せに応じて、複数の語句の組が関連付けられている形式で、複数の組合せ情報が蓄積され得る。
【００６８】
具体的には、例えば、項目「検査部位」には、複数の語句「ＣＨＥＳＴ」「ＡＢＤＯＭＥＮ」が並べられ、項目「モダリティ」には、複数の語句「ＣＲ」「ＵＳ」「ＥＳ」が並べられ、項目「年齢」には、複数の語句「５３」等が並べられる。また、例えば、項目「性別」には、複数の語句「Ｍ」「Ｆ」が並べられ、項目「カテゴリ」には、複数の語句「肺」「縦隔」等が並べられ、項目「撮影条件」には、複数の語句「正面像」「側面像」等が並べられる。また、例えば、項目「基本部位」には、複数の語句「肺野全体」「肺尖部」等が並べられ、項目「基本所見」には、複数の語句「スリガラス影」「網状影」等が並べられ、項目「診断」には、複数の語句「間質性肺炎」「慢性気管支炎」等が並べられる。更に、例えば、項目「症例画像」には、「img1.jpg」「img2.jpg」等が並べられる。なお、ＣＲは、コンピュータＸ線撮影(computed radiography)の省略表記であり、ＵＳは、超音波検査(Ultrasonography)の省略表記であり、ＥＳは、内視鏡装置(Endoscope)の省略表記である。
【００６９】
図８では、任意の語句が「ＸＸＸ」の形式で示されており、各組合せ情報において関連付けられている複数の語句の組合せが、関連を示す線で結ばれている。複数の語句の組合せには、例えば、「ＣＨＥＳＴ、ＣＲ、５３、Ｍ、肺、正面像、右中肺野、浸潤影、肺炎、img15.jpg」等の語句の組合せが含まれ得る。
【００７０】
組合せ強度テーブル２４３は、組合せ情報ＤＢ２４２に格納される複数の組合せ情報における複数の語句の組合せ毎の強度を示す情報（組合せ強度情報とも言う）が記述される。複数の語句についての各組合せに係る強度としては、例えば、複数の語句の組合せ回数等が含まれ得る。例えば、図９で示されるように、組合せ強度テーブル２４３には、項目「症例画像」を除く他の項目（検査部位、モダリティ、年齢、性別、カテゴリ、撮影条件、基本部位、基本所見、診断）に関し、複数の語句の組合せに対して組合せの回数が記述される。ここで、複数の語句の組合せには、例えば、語句「ＣＨＥＳＴ、ＣＲ、４０〜６０、Ｍ、肺、正面像、右中肺野、浸潤影、肺炎」の組合せが含まれる。なお、年齢については、個人的なばらつきが大きなため、組合せ強度テーブル２４３では、複数の年齢の範囲に区分される。複数の年齢の範囲としては、例えば、０〜３歳、４〜１１歳、１２〜１７歳、１８〜２９歳、３０〜３９歳、４０〜６０歳、６１〜７０歳、７１〜８０歳、８１歳以上等といった年齢の範囲が採用され得る。
【００７１】
出題ルール情報２４４は、出題に関するルールを規定する情報である。
【００７２】
症例画像ＤＢ２４５は、組合せ情報ＤＢ２４２に格納される各組合せ情報において示される症例画像の属性値に対応する症例画像のデータ（以下、症例画像と略称する）を記憶する。換言すれば、症例画像ＤＢ２４５は、組合せ情報ＤＢ２４２に格納される複数の組合せ情報に係る複数の症例画像が蓄積されている。
【００７３】
辞書テーブル２４６は、組合せ情報ＤＢ２４２に格納される各組合せ情報に含まれ得る語句のうち、同義語が存在し得る各語句に対して同義語が関連付けられている情報（辞書情報とも言う）を記憶する。辞書テーブル２４６では、例えば、図１０で示されるように、日本語の各専門用語に対して、英語表現等を含む同義語が関連付けられている。
【００７４】
解析ルール情報２４７は、例えば、画像付きのレポートデータを解析するためのルールを示す情報である。
【００７５】
診断情報ＤＢ２４８は、例えば、画像付きのレポートデータ等といった診断情報が複数蓄積される。
【００７６】
＜(２−２)サーバの各種機能的な構成における処理＞
学習条件設定部２６１は、ユーザによる操作部３１の操作によって入力される信号に応じて、記憶部２４内のユーザ情報テーブル２４１等を適宜参照し、学習条件を設定する。学習条件設定部２６１では、例えば、端末機器３で入力されるユーザＩＤおよびパスワードと、ユーザ情報テーブル２４１との照合によって、ユーザおよびユーザの個人情報が認識され得る。
【００７７】
組合せ認識部２６２は、学習条件設定部２６１で設定された学習条件に応じて、組合せ情報ＤＢ２４２と出題ルール情報２４４とに基づき、出題に係る一組合せ情報を認識する。例えば、組合せ認識部２６２では、組合せ強度テーブル２４３に従って、組合せ情報ＤＢ２４２内の複数の組合せ情報のうちの一組合せ情報が認識される。具体的には、例えば、組合せ回数が所定回数以上の一組合せ情報が認識され得る。
【００７８】
出題条件決定部２６３は、組合せ認識部２６２で認識された一組合せ情報と、組合せ強度テーブル２４３および出題ルール情報２４４とに基づいて、出題の条件を決定する。
【００７９】
出題情報生成部２６４は、出題ルール情報２４４に従い、出題条件決定部２６３で決定された出題の条件に基づき、出題における条件を示す画像を提示するためのデータ（出題条件情報とも言う）を生成する。ここでは、複数の組合せ情報に基づき、出題条件情報において、複数の項目に含まれる所定数の項目（例えば、撮影条件、基本部位、基本所見、診断）について項目毎に１以上の語句が示される。
【００８０】
また、組合せ情報ＤＢ２４２のうちの組合せ認識部２６２によって認識された一組合せ情報に基づき、出題条件情報において、第１形式および第２形式の少なくとも一方の形式が採用される。ここで、第１形式は、所定数の項目のうちの少なくとも一項目について複数の語句が複数の選択肢として示される態様であり、第２形式は、所定数の項目のうちの少なくとも一項目について少なくとも一語句が空欄の状態で示される態様である。
【００８１】
なお、選択肢としての複数の語句は、例えば、組合せ認識部２６２により、出題ルール情報２４４に基づいて、組合せ強度テーブル２４３が参照されて決定されれば良い。例えば、組合せ情報ＤＢ２４２内の複数の組合せ情報のうち、一項目（例えば、基本所見または診断）の語句が組合せ認識部２６２で認識された一組合せ情報と同一である所定数の組合せ情報が検出され、該所定数の組合せ情報の１以上の項目の複数の語句が選択肢とされ得る。
【００８２】
症例画像抽出部２６５は、組合せ認識部２６２によって認識された一組合せ情報に係る１以上の出題用の典型的な症例画像（出題用症例画像とも言う）を、記憶部２４内の症例画像ＤＢ２４５から抽出する。
【００８３】
情報出力部２６６は、出題情報生成部２６４によって生成された出題条件情報と、症例画像抽出部２６５によって抽出された１以上の出題用症例画像とを、Ｉ／Ｆ部２３と通信回線１ｎｗとを介して、端末機器３に出力する。
【００８４】
要求受付部２６７は、端末機器３からの参考情報を要求する信号（参考情報要求信号とも言う）を受け付ける。端末機器３では、例えば、情報出力部２６６から出力された一組合せ情報に係る１以上の出題症例画像が表示部３２に表示されている際に、ユーザによって操作部３１から入力される信号に応答して、参考情報要求信号が出力される。
【００８５】
参考情報取得部２６８は、要求受付部２６７で受け付けられた参考情報要求信号に応答して、組合せ認識部２６２で認識された一組合せ情報のうちの所定数の項目以外の残余の少なくとも一部の項目（例えば、年齢および性別）に係る１以上の語句を取得する。そして、参考情報取得部２６８で取得された一部の項目に係る１以上の語句を示す情報は、出題情報生成部２６４に送出される。このとき、出題情報生成部２６４は、参考情報取得部２６８で取得された一部の項目に係る１以上の語句を示す情報に基づき、該一部の項目に係る１以上の語句を示す画像を提示するための情報（参考情報とも言う）を生成する。参考情報は、情報出力部２６６によって端末機器３に対して出力される。
【００８６】
解答受付部２６９は、端末機器３からの解答を示す情報を受け付ける。
【００８７】
解答判定部２７０は、端末機器３に表示されている出題条件情報に基づく出題条件画像において一選択肢が指定されれば、該一選択肢が、組合せ認識部２６２によって認識された一組合せ情報に対応する正答であるか否かを判定する。また、解答判定部２７０は、端末機器３に表示されている出題条件情報に基づく出題条件画像において一語句が指定されれば、該一語句が、組合せ認識部２６２によって認識された一組合せ情報に対応する正答であるか否かを判定する。なお、一語句が指定される場合、辞書テーブル２４６が参照されて、一語句および該一語句の同義語が、一組合せ情報に対応する正答であるか否かが判定され得る。これにより、空欄に対する語句の穴埋めに係る判定が適正化され得る。解答判定部２７０は、正答であると判定すると、その判定結果を示す情報を、情報出力部２６６を介して、端末機器３に対して出力する。
【００８８】
得点付与部２７１は、解答判定部２７０によって正答と判定された場合に、記憶部２４内のユーザ毎の得点情報（例えば、総得点）に対して得点を付与する。得点は、各出題のレベルおよび種類等に応じて設定され得る。なお、得点付与部２７１は、要求受付部２６７によって端末機器３から参考情報要求信号が受け付けられたことに応じて、得点を減じて付与する。換言すれば、得点付与部２７１は、端末機器３の表示部３２に参考情報に基づく参考情報画像が表示された場合に、得点を減じて付与する。また、得点付与部２７１は、何回目の解答によって正答に至ったのかに応じて、得点を増減させて付与しても良い。
【００８９】
診断受付部２７２は、例えば、端末機器３〜７から通信回線１ｎｗを介した新規な診断情報の入力を受け付ける。なお、新規な診断情報は、診断情報ＤＢ２４８に記憶される。
【００９０】
診断解析部２７３は、例えば、解析ルール情報２４７に基づき、診断受付部２７２によって受け付けられた新規な診断情報から複数の項目に関する複数の語句を抽出する。これにより、複数の語句の組合せを示す新規な組合せ情報が取得され得る。
【００９１】
情報更新部２７４は、例えば、記憶部２４内の組合せ情報ＤＢ２４２に、診断解析部２７３で得られた新規な組合せ情報を追加する。このとき、組合せ強度テーブル２４３も更新され得る。例えば、新規な組合せ情報における組合せ回数が新規に記述されるか、または新規な組合せ情報に対応する組合せ回数が増加し得る。これにより、新たな診断情報も加味した適切な出題が行われ得る。
【００９２】
＜(２−３)端末機器の機能的な構成＞
情報取得部３６１は、サーバ２の情報出力部２６６から出力される各情報を取得する。
【００９３】
表示制御部３６２は、情報取得部３６１で取得される出題条件情報に基づく出題条件画像、１以上の出題用症例画像、および参考情報に基づく参考情報画像を表示部３２で表示させる。出題条件画像と１以上の出題用症例画像とは、表示部３２において同時に表示されても良いし、ユーザによって操作部３１から入力される信号に応答して順次に表示されても良い。また、１以上の出題用症例画像と参考情報画像とは、表示部３２において同時に表示されても良いし、ユーザによって操作部３１から入力される信号に応答して順次に表示されても良い。
【００９４】
信号受付部３６３は、ユーザによる操作部３１の操作に応じた信号を受け付ける。信号受付部３６３は、受け付けられた信号に応じて、解答画面の表示を要求する信号（解答画面要求信号とも言う）および出題用症例画像の表示を要求する信号（症例画像要求信号とも言う）を表示制御部３６２に出力する。
【００９５】
条件指定部３６４は、信号受付部３６３で受け付けられた信号に応じて、学習条件を指定する。
【００９６】
情報要求部３６５は、信号受付部３６３で受け付けられた信号に応じて、参考情報を要求する参考情報要求信号を出力する。また、情報要求部３６５は、信号受付部３６３で受け付けられた信号に応じて、次の出題を要求する信号（出題要求信号とも言う）を出力する。
【００９７】
解答指定部３６６は、出題条件情報において第１形式が採用されていれば、ユーザによって操作部３１から入力される信号に応答して、出力条件画像に挙げられる複数の選択肢から一選択肢を指定する。また、解答指定部３６６は、表示部３２で表示される出題条件情報において第２形式が採用されていれば、ユーザによって操作部３１から入力される信号に応答して、出題条件画像の空欄を埋めるための一語句を指定する。
【００９８】
情報送信部３６７は、条件指定部３６４で指定された学習条件を示す情報と、情報要求部３６５から出力される参考情報要求信号および出題要求信号と、解答指定部３６６によって指定される一選択肢および一語句の少なくとも一方を示す情報とを、サーバ２に送信する。
【００９９】
＜(３)学習支援に係る表示画面および画面遷移＞
次に、各端末機器３〜７を操作するユーザが学習を行う場合に、表示部３２に表示される画面および画面の遷移について説明する。ここでは、端末機器３を操作するユーザが学習を行う場合を例に挙げて説明する。
【０１００】
＜(３−１)学習条件の設定＞
学習条件の設定に係る動作は、条件指定部３６４における学習条件の指定と、この指定に応じた学習条件設定部２６１における学習条件の設定とによって実現され得る。
【０１０１】
図１１は、検査部位とモダリティの組を選択する画面ＣＧ１を例示する図である。画面ＣＧ１の上部には、検査部位とモダリティの組（ここでは、ＣＨＥＳＴ−ＣＲ、ＡＢＤＯＭＥＮ−ＣＲ、ＳＰＩＮＥ−ＣＲ、ＡＢＤＯＭＥＮ−ＵＳ、ＵＰＰＥＲ−ＥＳ）が記されている複数のボタンＢ１１〜Ｂ１５が配される。また、画面ＣＧ１の右上部に終了ボタンＢＥ１が配される。なお、ＣＨＥＳＴ−ＣＲが胸部のコンピュータＸ線撮影を示し、ＡＢＤＯＭＥＮ−ＣＲが腹部のコンピュータＸ線撮影を示し、ＳＰＩＮＥ−ＣＲが脊柱のコンピュータＸ線撮影を示し、ＡＢＤＯＭＥＮ−ＵＳが腹部の超音波検査を示し、ＵＰＰＥＲ−ＥＳが上部消化管の内視鏡検査を示す。
【０１０２】
画面ＣＧ１では、例えば、ユーザが操作部３１に含まれるマウスを操作することで、ボタンＢ１１〜Ｂ１５のうちの所望のボタン上にマウスポインタＭＰ１が合わされて、所定の操作（例えば、左クリック）が行われることで、所望のボタンが押下され得る。これにより、条件指定部３６４によって、所望のボタンに描かれた検査部位とモダリティの組が指定され、表示部３２に表示される画面が、学習モードを選択する画面に遷移する。なお、終了ボタンＢＥ１がマウスポインタＭＰ１で押下されれば、学習支援システム１における学習に係る動作が終了され得る。
【０１０３】
図１２は、学習モードを選択する画面ＣＧ２を例示する図である。図１２では、画面ＣＧ１でＣＨＥＳＴとＣＲの組が指定された場合における画面ＣＧ２が例示されている。画面ＣＧ２の左上部には画面ＣＧ１で指定された検査部位とモダリティの組を示す表示要素Ｄ１０が表示され、画面ＣＧ２の上部には、学習モード（ここでは、カテゴリ毎、部位毎、所見毎、診断毎、ランダム）が記されている複数のボタンＢ２１〜Ｂ２５が配される。また、画面ＣＧ２の右上部に前へボタンＢＲ１と終了ボタンＢＥ１とが配される。
【０１０４】
画面ＣＧ２では、例えば、ユーザが操作部３１を操作することで、ボタンＢ２１〜Ｂ２５のうちの所望のボタン上にマウスポインタＭＰ１が合わされて、所定の操作（例えば、左クリック）が行われることで、所望のボタンが押下され得る。これにより、条件指定部３６４によって、所望のボタンに描かれた学習モードが指定され、表示部３２に表示される画面が、学習対象となるカテゴリを選択する画面に遷移する。なお、前へボタンＢＲ１がマウスポインタＭＰ１で押下されれば、表示部３２に表示される画面が、前の画面ＣＧ１に戻るように遷移し、終了ボタンＢＥ１がマウスポインタＭＰ１で押下されれば、学習支援システム１における学習に係る動作が終了され得る。
【０１０５】
図１３は、学習対象となるカテゴリを選択する画面ＣＧ３を例示する図である。図１３では、画面ＣＧ１でＣＨＥＳＴとＣＲの組が指定され、画面ＣＧ２でカテゴリ毎が指定された場合における画面ＣＧ３が例示されている。画面ＣＧ３の左上部には、画面ＣＧ１で指定された検査部位とモダリティの組を示す表示要素Ｄ１０、および画面ＣＧ２で指定された学習モードを示す表示要素Ｄ２１が表示される。また、画面ＣＧ３の上部には、カテゴリ（ここでは、肺、縦隔、骨、軟部(辺縁)）が記されている複数のボタンＢ３１〜Ｂ３４が配される。また、画面ＣＧ３の右上部に前へボタンＢＲ１と終了ボタンＢＥ１とが配される。
【０１０６】
画面ＣＧ３では、例えば、ユーザが操作部３１を操作することで、ボタンＢ３１〜Ｂ３４のうちの所望のボタン上にマウスポインタＭＰ１が合わされて、所定の操作（例えば、左クリック）が行われることで、所望のボタンが押下され得る。これにより、条件指定部３６４によって、所望のボタンに描かれたカテゴリが指定され、表示部３２に表示される画面が、出題および解答のモードを設定する画面に遷移する。なお、前へボタンＢＲ１がマウスポインタＭＰ１で押下されれば、表示部３２に表示される画面が、前の画面ＣＧ２に戻るように遷移し、終了ボタンＢＥ１がマウスポインタＭＰ１で押下されれば、学習支援システム１における学習に係る動作が終了され得る。
【０１０７】
図１４は、出題および解答のモードを設定する画面ＣＧ４を例示する図である。図１４では、画面ＣＧ１でＣＨＥＳＴとＣＲの組が指定され、画面ＣＧ２でカテゴリ毎が指定され、画面ＣＧ３で肺が指定された場合における画面ＣＧ４が例示されている。画面ＣＧ４の左上部には、画面ＣＧ１で指定された検査部位とモダリティの組を示す表示要素Ｄ１０、画面ＣＧ２で指定された学習モードを示す表示要素Ｄ２１、および画面ＣＧ３で指定されたカテゴリを示す表示要素Ｄ３１が表示される。また、画面ＣＧ４の上部には、プルダウンメニュー形式の難易度の表示要素ＰＬ１、出題数の表示要素ＰＬ２、および制限時間の表示要素ＰＬ３、ならびにモード確定ボタンＢＡ１が配される。また、画面ＣＧ４の右上部に前へボタンＢＲ１と終了ボタンＢＥ１とが配される。
【０１０８】
画面ＣＧ４では、例えば、ユーザが操作部３１を操作することで、難易度の表示要素ＰＬ１で難易度（例えば、１〜５、自動）が選択され、出題数の表示要素ＰＬ２で出題数（例えば、１〜５、自動）が選択され、制限時間の表示要素ＰＬ３で制限時間（例えば、３０〜３００秒、自動）が選択され得る。また、難易度、出題数、および制限時間が選択され、モード確定ボタンＢＡ１がマウスポインタＭＰ１によって押下されれば、選択された難易度、出題数、および制限時間が確定される。これにより、条件指定部３６４によって、確定された難易度、出題数、および制限時間が指定され、表示部３２に表示される画面が、学習の開始を選択する画面に遷移する。なお、前へボタンＢＲ１がマウスポインタＭＰ１で押下されれば、表示部３２に表示される画面が、前の画面ＣＧ３に戻るように遷移し、終了ボタンＢＥ１がマウスポインタＭＰ１で押下されれば、学習支援システム１における学習に係る動作が終了され得る。
【０１０９】
図１５は、学習の開始を選択する画面ＣＧ５を例示する図である。図１５では、画面ＣＧ１でＣＨＥＳＴとＣＲの組が指定され、画面ＣＧ２でカテゴリ毎が指定され、画面ＣＧ３で肺が指定され、画面ＣＧ４で難易度、出題数、および制限時間が全て自動に設定された場合における画面ＣＧ５が例示されている。画面ＣＧ５の左上部には、画面ＣＧ１で指定された検査部位とモダリティの組を示す表示要素Ｄ１０、画面ＣＧ２で指定された学習モードを示す表示要素Ｄ２１、画面ＣＧ３で指定されたカテゴリを示す表示要素Ｄ３１、および画面ＣＧ４で指定された出題と解答のモードを示す表示要素ＤＡ１が表示される。また、画面ＣＧ５の右上部に学習開始ボタンＢＳ１と前へボタンＢＲ１と終了ボタンＢＥ１とが配される。
【０１１０】
画面ＣＧ５では、例えば、ユーザが操作部３１を操作することで、学習開始ボタンＢＳ１がマウスポインタＭＰ１によって押下されれば、条件指定部３６４によって、学習の開始が指定される。これにより、条件指定部３６４で指定された学習条件が、学習条件設定部２６１で設定され、表示部３２に表示される画面が、出題に係る画面に遷移する。
【０１１１】
＜(３−２)出題用症例画像の表示例＞
出題用症例画像は、症例画像抽出部２６５で抽出され、情報出力部２６６、Ｉ／Ｆ部２３、および通信回線１ｎｗを介して、情報取得部３６１で取得され、表示制御部３６２によって表示部３２に表示され得る。
【０１１２】
図１６は、出題用症例画像が表示される画面ＱＧ１を例示する図である。画面ＱＧ１では、左部から中央にかけて出題用症例画像が表示される。また、画面ＱＧ１の右上部に、現在の出題が何れの難易度の何問目であるのかを示す情報が示され、その下に、ヒント１ボタンＢＨ１とヒント２ボタンＢＨ２とが配される。また、画面ＱＧ１の右下部には、解答画面ボタンＢＤＡ１と終了ボタンＢＥ１とが配される。
【０１１３】
端末機器３を使用するユーザは、画面ＱＧ１の出題症例画像を見ることで、読影を試みることが可能である。
【０１１４】
画面ＱＧ１では、例えば、ユーザが操作部３１を操作することで、マウスポインタＭＰ１でヒント１ボタンＢＨ１が押下されると、情報要求部３６５から参考情報要求信号が出力される。このとき、参考情報要求信号に応答して、現在の出題に係る一組合せ情報のうちの一部の項目に係る１以上の語句が参考情報取得部２６８で取得され、出題情報生成部２６４で生成される参考情報が、情報出力部２６６によって端末機器３に出力される。そして、ヒント１に係る参考情報に基づく参考情報画像が表示制御部３６２によって表示部３２に表示される。
【０１１５】
参考情報画像は、例えば、図１７で示されるように、ポップアップＰＵ１の形式で表示され得る。図１７では、ポップアップＰＵ１に年齢および性別の情報が表示されている状態が示されている。なお、画面ＱＧ１では、例えば、マウスポインタＭＰ１でヒント２ボタンＢＨ２が押下されると、ヒント２に係る参考情報画像が表示制御部３６２によって表示部３２に表示される。ヒント２に係る参考情報画像には、例えば、既往症、バイタルデータ、問診データ等といった項目に係る１以上の語句が含まれ得る。
【０１１６】
また、画面ＱＧ１では、例えば、ユーザが操作部３１を操作することで、解答画面ボタンＢＤＡ１がマウスポインタＭＰ１によって押下されると、表示制御部３６２によって表示部３２に表示される画面が、画面ＱＧ１から出題条件画像を表示する画面に遷移する。
【０１１７】
なお、本実施形態では、何れの出題においても、出題用症例画像を含む画面ＱＧ１が表示される。
【０１１８】
＜(３−３)難易度別の出題条件画像を表示する画面＞
出題条件画像を表示する画面は、出題の条件を示す画面であるとともに、学習者である端末機器３のユーザが出題症例画像を読影した結果を解答する画面（解答画面とも言う）でもある。この解答画面は、出題の難易度毎に異なる出題の条件に応じた画面である。この解答画面では、例えば、所定数の項目のうちの難易度に応じた一部の項目について、複数の語句のうちの少なくとも一部の語句が選択肢あるいは空欄とされる。
【０１１９】
＜(３−３−１)難易度１＞
図１８は、難易度１の解答画面ＡＧ１を例示する図である。解答画面ＡＧ１の上部には、例えば、図１５の画面ＣＧ５と同様に、画面ＣＧ１〜ＣＧ４でそれぞれ指定された、検査部位とモダリティの組、学習モード、カテゴリ、および出題と解答のモードを示す表示要素Ｄ１０，Ｄ２１，Ｃ３１，ＤＡ１が示される。また、例えば、各解答画面の右上部には、画像表示ボタンＢＤ１と解答決定ボタンＢＤＴ１と終了ボタンＢＥ１とが示される。
【０１２０】
また、図１８で示されるように、解答画面ＡＧ１には、画面の上から１／５〜１／４程度の領域に、左から順に４項目（撮影条件、基本部位、基本所見、診断）を示す表示要素が並べられる。
【０１２１】
そして、項目「撮影条件」を示す表示要素の下の領域ＡＲ１に、項目「撮影条件」に係る複数の語句（例えば、正面像、側面像、側臥位像）が示される。また、項目「基本部位」を示す表示要素の下の領域ＡＲ２に、項目「基本部位」に係る複数の語句（例えば、肺野全体、肺尖部、上肺野等）が示される。また、項目「基本所見」を示す表示要素の下の領域ＡＲ３に、項目「基本所見」に係る複数の語句（例えば、スリガラス影、網状影、線状影等）が示される。更に、項目「診断」を示す表示要素の下の領域ＡＲ４に、項目「診断」に係る複数の語句（例えば、間質性肺炎、慢性気管支炎、肺水腫等）が示される。各語句は、語句および該語句を囲む枠部とを含む表示要素によって示される。
【０１２２】
なお、各領域ＡＲ１〜ＡＲ４に配される複数の語句のうち、一度に所定数の語句の表示要素しか表示できない場合、例えば、一度に表示される所定数の語句の表示要素の下に、所定数を超える他の語句の表示要素が存在することを示す所定マークが表示される。図１８の解答画面ＡＧ１では、領域ＡＲ３，ＡＲ４に所定マークＤＣ３，ＣＤ４が表示されている。そして、この所定数を超える語句の表示要素は、スクロールバーの移動によって、各領域ＡＲ１〜ＡＲ４に適宜表示され得る。
【０１２３】
図１８で示される難易度１の解答画面ＡＧ１では、領域ＡＲ１に示される各語句に係る表示要素の左部に、ラジオボタンＲＢ１と修飾語マークＳＤ１とが配される。また、領域ＡＲ２に示される各語句に係る表示要素の左部には、チェックボックスＣＢ２と修飾語マークＳＤ２とが配される。また、領域ＡＲ３に示される各語句に係る表示要素の左部には、チェックボックスＣＢ３と修飾語マークＳＤ３とが配される。また、領域ＡＲ４に示される各語句に係る表示要素の左部には、チェックボックスＣＢ４と修飾語マークＳＤ４とが配される。
【０１２４】
また、解答画面ＡＧ１の最下部には、左から順に、項目「撮影条件」に係るテキストボックスＴＢ１、項目「基本部位」に係るテキストボックスＴＢ２、項目「基本所見」に係るテキストボックスＴＢ３、項目「診断」に係るテキストボックスＴＢ４が配される。なお、テキストボックスＴＢ１は、領域ＡＲ１の下に配され、テキストボックスＴＢ２は、領域ＡＲ２の下に配され、テキストボックスＴＢ３は、領域ＡＲ３の下に配され、テキストボックスＴＢ４は、領域ＡＲ４の下に配される。
【０１２５】
図１８で示される難易度１の解答画面ＡＧ１では、項目「撮影条件」「基本部位」「診断」については、語句「正面像」「右中肺野」「肺炎」が予め自動的に指定されている。詳細には、項目「撮影条件」「基本部位」「診断」に対して指定されている語句「正面像」「右中肺野」「肺炎」に係る表示要素が、他の語句に係る表示要素に対して区別可能な態様で表示される。この表示態様としては、例えば、指定されている語句に係る表示要素が、他の語句に係る表示要素とは異なる色で表示される態様、他の語句に係る表示要素に対して色が反転して表示される態様等が挙げられる。
【０１２６】
そして、項目「撮影条件」については、指定されている語句に係る表示要素ＣＤ１のラジオボタンＲＢ１に黒丸が付される。また、項目「基本部位」「診断」については、指定されている語句に係る表示要素ＣＤ２，ＣＤ４のチェックボックスＣＢ２，ＣＢ４にクロスマークが付される。更に、項目「撮影条件」「基本部位」「診断」について指定されている語句は、各項目「撮影条件」「基本部位」「診断」に対応するテキストボックスＴＢ１，ＴＢ２，ＴＢ４に表示される。なお、指定されている語句に係る表示要素ＣＤ１，ＣＤ２，ＣＤ４について、修飾語マークＳＤ１，ＳＣ２，ＳＤ４の色が他の語句に係る表示要素の修飾語マークＳＤ１，ＳＣ２，ＳＤ４の色と異なる場合には、修飾語を含む語句が指定されていることを示す。図１８で示される難易度１の解答画面ＡＧ１では、項目「基本部位」について、接頭語「右」および接尾語「縦隔側」を含む語句「右中肺野（縦隔側）」が指定されている。
【０１２７】
これに対して、項目「基本所見」については、領域ＡＲ３に表示される複数の語句のうちの少なくとも一部の語句が選択肢として示される。図１８で示される難易度１の解答画面ＡＧ１では、項目「基本所見」について、複数の語句「スリガラス影」「均等影」「透過性低下領域」「濃度上昇域」「浸潤影」が選択肢として示されている。ここでは、領域ＡＲ３に表示される複数の語句のうち、選択肢としての各語句に係る表示要素ＯＰ３が、他の語句に係る表示要素に対して区別可能な態様で表示される。このような表示態様としては、例えば、選択肢としての各語句に係る表示要素ＯＰ３が、他の語句に係る表示要素とは異なる色で表示される態様、他の語句に係る表示要素に対して色が反転して表示される態様等が挙げられる。
【０１２８】
このような難易度１の解答画面ＡＧ１では、ユーザが操作部３１を操作することで、複数の表示要素ＯＰ３のうちの所望の一表示要素ＯＰ３の上にマウスポインタＭＰ１が合わされ、所定の操作（例えば、左クリック）が行われると、所望の選択肢が指定され得る。このとき、解答指定部３６６によって一選択肢が指定され、指定された所望の一選択肢の表示要素ＯＰ３の左部のチェックボックスＣＢ３にクロスマークが付される。また、項目「基本所見」について指定される語句は、項目「基本所見」に対応するテキストボックスＴＢ３に表示される。
【０１２９】
このようにして、一選択肢としての語句が指定された状態で、ユーザが操作部３１を操作することでマウスポインタＭＰ１によって解答決定ボタンＢＤＴ１が押下されると、指定された一選択肢としての語句が解答を示す情報として決定される。これにより、情報送信部３６７によって解答としての一選択肢を示す情報がサーバ２に対して送信される。
【０１３０】
このとき、解答判定部２７０によってユーザによる解答が正答であるか否かが判定され、解答が正答でなければ、解答画面ＡＧ１において再度の解答が求められる。一方、解答が正答であれば、図１９で示されるように、表示部３２に解答が正答であることを示す画面（正答画面とも言う）ＲＧ１が表示される。このとき、得点付与部２７１によって、参考情報画像の表示の有無および正答に至るまでの解答回数等に応じた得点が、ユーザ情報テーブル２４１の総得点に付与され得る。
【０１３１】
正答画面ＲＧ１の右下部には、次へボタンＢＮ１および終了ボタンＢＥ１が配されている。ここで、次へボタンＢＮ１がマウスポインタＭＰ１で押下されると、情報要求部３６５からの出題要求信号に応じて、次の出題に係る出題用症例画像が表示部３２に表示される。このとき、組合せ認識部２６２、症例画像抽出部２６５、情報出力部２６６、情報取得部３６１、および表示制御部３６２によって、次の出題に係る出題用症例画像が表示部３２に表示される。また、終了ボタンＢＥ１がマウスポインタＭＰ１で押下されれば、学習支援システム１における学習に係る動作が終了され得る。
【０１３２】
なお、図１８で示される難易度１の解答画面ＡＧ１では、項目「基本所見」について複数の語句が選択肢として示されていたが、これに限られず、他の項目について複数の語句が選択肢として示されても良い。
【０１３３】
例えば、図２０で示される解答画面ＡＧ１ａのように、項目「診断」について複数の語句が選択肢として示されても良い。解答画面ＡＧ１ａでは、例えば、項目「基本所見」について、修飾語「境界不明瞭な」を含む語句「境界不明瞭な浸潤影」が予め指定され、該語句の表示要素ＣＤ３が、領域ＡＲ３の他の表示要素と区別可能な態様で表示される。また、解答画面ＡＧ１ａでは、例えば、項目「診断」について、複数の語句「肺炎」「サルコイドーシス」「無気肺」「誤嚥性肺炎」等が選択肢として示される。そして、選択肢としての各語句に係る表示要素ＯＰ４が、領域ＡＲ４の他の語句に係る表示要素に対して区別可能な態様で表示される。この解答画面ＡＧ１ａでは、複数の表示要素ＯＰ４のうちの所望の一表示要素ＯＰ４の一選択肢が指定され得る。
【０１３４】
なお、難易度１の出題では、所見が認められる基本部位が予め開示されているため、読影の難易度は比較的低いと言える。
【０１３５】
＜(３−３−２)難易度２＞
図２１は、難易度２の解答画面ＡＧ２を例示する図である。難易度２の解答画面ＡＧ２は、難易度１の解答画面ＡＧ１（図１８）と比較して、項目「診断」について予め指定されている語句が空欄ＥＣ４で示される点で異なる。
【０１３６】
難易度２の解答画面ＡＧ２では、ユーザが操作部３１を操作することで、項目「基本所見」に係る複数の表示要素ＯＰ３のうちの所望の表示要素ＯＰ３で示される一選択肢としての語句が指定され得る。このとき、解答指定部３６６によって一選択肢が指定され、指定された所望の選択肢の表示要素ＯＰ３の左部のチェックボックスＣＢ３にクロスマークが付されるとともに、項目「基本所見」について指定される語句が、テキストボックスＴＢ３に表示される。
【０１３７】
また、難易度２の解答画面ＡＧ２では、ユーザが操作部３１を操作することで、テキストボックスＴＢ４に、空欄ＥＣ４に充当されるべき所望の語句が記入され、空欄ＥＣ４に係る一語句が指定され得る。
【０１３８】
そして、一選択肢の語句および空欄ＥＣ４に係る一語句がテキストボックスＴＢ３，ＴＢ４にそれぞれ表示された状態で、ユーザが操作部３１を操作することでマウスポインタＭＰ１で解答決定ボタンＢＤＴ１が押下されると、解答を示す情報が決定される。ここでは、一選択肢としての一語句と空欄ＥＣ４に係る一語句との組が解答を示す情報となる。これにより、情報送信部３６７によって解答としての一選択肢および一語句を示す情報がサーバ２に対して送信される。
【０１３９】
そして、解答判定部２７０によってユーザによる解答が正答であるか否かが判定される。ここでは、空欄ＥＣ４に係る一語句については、辞書テーブル２４６が参照されて、一語句および該一語句の同義語が、一組合せ情報に対応する正答であるか否かが判定される。もしも、解答が正答でなければ、解答画面ＡＧ２において再度の解答が求められる。一方、解答が正答であれば、表示部３２に解答が正答であることを示す正答画面が表示される。このとき、得点付与部２７１によって、参考情報画像の表示の有無および正答に至るまでの解答回数等に応じた得点が、ユーザ情報テーブル２４１の総得点に付与される。
【０１４０】
なお、図２１で示される難易度２の解答画面ＡＧ２では、項目「基本所見」について複数の語句が選択肢として示され、項目「診断」についての一語句が空欄ＥＣ４で示されていたが、これに限られない。例えば、他の項目についての複数の語句が選択肢として示され、他の項目についての語句が空欄で示されても良い。
【０１４１】
例えば、図２２で示される解答画面ＡＧ２ａのように、項目「診断」について複数の語句が選択肢として示され、項目「基本所見」についての一語句が空欄ＥＣ３で示されても良い。解答画面ＡＧ２ａでは、例えば、項目「基本所見」について予め指定された空欄ＥＣ３に係る語句の表示要素が、領域ＡＲ３の他の表示要素と区別可能な態様で表示される。また、解答画面ＡＧ２ａでは、例えば、項目「診断」について、複数の語句「肺炎」「サルコイドーシス」「無気肺」「誤嚥性肺炎」等が選択肢として示される。そして、選択肢としての各語句に係る表示要素ＯＰ４が、領域ＡＲ４の他の語句に係る表示要素に対して区別可能な態様で表示される。この解答画面ＡＧ２ａでは、空欄ＥＣ３に係る一語句および複数の表示要素ＯＰ４のうちの所望の一表示要素ＯＰ４の一選択肢が指定され得る。
【０１４２】
なお、難易度２の出題でも、難易度１の出題と同様に、所見が認められる基本部位が予め開示されているため、読影の難易度は高いとは言えない。
【０１４３】
＜(３−３−３)難易度３＞
図２３は、難易度３の解答画面ＡＧ３を例示する図である。難易度３の解答画面ＡＧ３は、難易度２の解答画面ＡＧ１（図１８）と比較して、項目「基本部位」について複数の選択肢に係る表示要素ＯＰ２が配されている点で異なる。
【０１４４】
難易度３の解答画面ＡＧ３では、ユーザが操作部３１を操作することで、項目「基本部位」に係る複数の表示要素ＯＰ２のうちの所望の一表示要素ＯＰ２で示される一選択肢としての一語句が指定され得る。また、項目「基本所見」に係る複数の表示要素ＯＰ３のうちの所望の一表示要素ＯＰ３で示される一選択肢としての一語句が指定され得る。このとき、解答指定部３６６によって２つの項目について一選択肢がそれぞれ指定される。そして、指定された２つの選択肢の表示要素ＯＰ２，ＯＰ３の左部のチェックボックスＣＢ２，ＣＢ３にクロスマークが付されるとともに、項目「基本部位」「基本所見」について指定される各語句が、テキストボックスＴＢ２，ＴＢ３に表示される。
【０１４５】
ところで、難易度３の解答画面ＡＧ３では、項目「基本部位」について、接頭語（例えば、左、右、両側）および接尾語（外套部、縦隔側）までの正解が要求されても良い。図２４は、難易度３の解答画面ＡＧ３において、修飾語の入力を行うためのポップアップＰＵ２が表示された状態を示す図である。例えば、ユーザによる操作部３１の操作に応じて、複数の表示要素ＯＰ２のうちの所望の一表示要素ＯＰ２の修飾語マークＳＤ２にマウスポインタＭＰ１が合わされ、所定の操作（例えば、マウスの右クリック等）によってポップアップＰＵ２が表示される。
【０１４６】
ポップアップＰＵ２では、接頭語の候補として左、右、両側が示され、接尾語の候補として外套部と縦隔側が示される。そして、ポップアップＰＵ２では、例えば、接頭語の候補である左、右、両側のうちの何れか一つに係るラジオボタンが指定された状態で決定ボタンＤＴ１がマウスポインタＭＰ１で押下されると、一接頭語が指定され得る。また、接尾語の候補である外套部と縦隔側のうちの１以上に係るチェックボックスにクロスマークが付された状態で決定ボタンＤＴ１がマウスポインタＭＰ１で押下されると、一接尾語が指定され得る。例えば、ポップアップＰＵ２で一接頭語および一接尾語が指定されれば、所望の一表示要素ＯＰ２で示される語句に、指定された一接頭語および一接尾語が付加された語句が、指定された一選択肢の一語句として指定される。なお、ポップアップＰＵ２では、キャンセルボタンＣＣ１がマウスポインタＭＰ１で押下されると、ポップアップＰＵ２の表示が終了される。
【０１４７】
このようにして、２つの項目に係る選択肢の語句がテキストボックスＴＢ２，ＴＢ３にそれぞれ表示された状態で、ユーザが操作部３１を操作することでマウスポインタＭＰ１で解答決定ボタンＢＤＴ１が押下されると、解答を示す情報が決定される。ここでは、項目「基本部位」に係る一選択肢としての一語句と項目「基本所見」に係る一選択肢としての一語句との組が解答を示す情報となる。これにより、情報送信部３６７によって解答としての２つの選択肢としての語句の組を示す情報がサーバ２に対して送信される。
【０１４８】
そして、解答判定部２７０によってユーザによる解答が正答であるか否かが判定される。ここでは、解答が正答でなければ、解答画面ＡＧ３において再度の解答が求められる。一方、解答が正答であれば、表示部３２に解答が正答であることを示す正答画面が表示される。このとき、得点付与部２７１によって、参考情報画像の表示の有無および正答に至るまでの解答回数等に応じた得点が、ユーザ情報テーブル２４１の総得点に付与される。
【０１４９】
なお、図２３で示される難易度３の解答画面ＡＧ３では、項目「基本部位」「基本所見」について複数の語句が選択肢としてそれぞれ示されていたが、これに限られない。例えば、他の項目についての複数の語句が選択肢として示されても良い。
【０１５０】
例えば、図２５で示される解答画面ＡＧ３ａのように、項目「基本所見」の代わりに項目「診断」について複数の語句が選択肢として示されても良い。解答画面ＡＧ３ａでは、例えば、項目「診断」について、複数の語句「肺炎」「サルコイドーシス」「無気肺」「誤嚥性肺炎」等が選択肢として示される。そして、選択肢としての各語句に係る表示要素ＯＰ４が、領域ＡＲ４の他の語句に係る表示要素に対して区別可能な態様で表示される。この解答画面ＡＧ３ａでは、項目「基本部位」について、複数の表示要素ＯＰ２のうちの所望の一表示要素ＯＰ２に係る一選択肢が指定され、項目「診断」について、複数の表示要素ＯＰ４のうちの所望の一表示要素ＯＰ４に係る一選択肢が指定され得る。
【０１５１】
なお、難易度３の出題では、所見が認められる基本部位が予め開示されていないため、読影の難易度がやや高い。
【０１５２】
＜(３−３−４)難易度４＞
図２６は、難易度４に係る解答画面ＡＧ４を例示する図である。難易度４の解答画面ＡＧ４は、難易度３の解答画面ＡＧ３（図２３）と比較して、項目「基本所見」についての選択肢の数が増加され、項目「診断」について複数の選択肢に係る表示要素ＯＰ４が配されている点で異なる。
【０１５３】
難易度４の解答画面ＡＧ４では、ユーザが操作部３１を操作することで、項目「基本部位」に係る複数の表示要素ＯＰ２のうちの所望の一表示要素ＯＰ２で示される一選択肢としての一語句が指定され得る。また、項目「基本所見」に係る複数の表示要素ＯＰ３のうちの所望の一表示要素ＯＰ３で示される一選択肢としての一語句が指定され得る。また、項目「診断」に係る複数の表示要素ＯＰ４のうちの所望の一表示要素ＯＰ４で示される一選択肢としての一語句が指定され得る。このとき、解答指定部３６６によって３項目について一選択肢がそれぞれ指定され、指定された３つの選択肢の表示要素ＯＰ２，ＯＰ３，ＯＰ４の左部のチェックボックスＣＢ２，ＣＢ３，ＣＢ４にクロスマークが付される。また、項目「基本部位」「基本所見」「診断」について指定される各語句が、テキストボックスＴＢ２，ＴＢ３，ＴＢ４に表示される。
【０１５４】
このように、難易度４の解答画面ＡＧ４では、出題用症例画像と撮影条件以外は、情報が殆ど与えられていない状態で、ユーザは読影を行って解答を行う。このため、難易度４の出題は、医療の現場における通常の読影と殆ど同様であり、難易度が高い。
【０１５５】
ところで、難易度４の解答画面ＡＧ４では、難易度３の解答画面ＡＧ３と同様に、項目「基本部位」について、接頭語（例えば、左、右、両側）および接尾語（外套部、縦隔側）までの正解が要求されても良い。また、難易度４の解答画面ＡＧ４では、項目「基本所見」について、接頭語および接尾語等の修飾語までの正解が要求されても良い。また、項目「基本所見」について、接頭語および接尾語等の修飾語まで正解していれば、解答判定部２７０の判定結果に応答して、得点付与部２７１が得点を増加させて総得点に付与するようにしても良い。
【０１５６】
＜(４)学習支援システムの動作フロー＞
図２７〜図２９は、学習支援システム１の動作フローを示すフローチャートである。本動作フローは、例えば、サーバ２の制御部２６と端末機器３の制御部３６との協働によって実行され得る。そして、例えば、ユーザによる操作部３１の操作に応じて、本動作フローが開始され、ステップＳ１に進む。なお、本動作フローでは、例えば、終了ボタンＢＥ１がマウスポインタＭＰ１で押下されることで、学習支援システム１における学習に係る動作の終了が指示されると、本動作フローが強制的に終了され得る。
【０１５７】
ステップＳ１では、学習条件設定部２６１によって、例えば、端末機器３で入力されるユーザＩＤおよびパスワードと、ユーザ情報テーブル２４１との照合によって、ユーザおよびユーザの個人情報が認識される。
【０１５８】
ステップＳ２では、条件指定部３６４と学習条件設定部２６１とによって、ユーザによる操作部３１の操作に応じて、学習条件に係る各種情報が受け付けられる。このとき、表示部３２に表示される画面は、例えば、画面ＧＣ１〜ＧＣ５（図１１〜図１５）の間で遷移する。
【０１５９】
ステップＳ３では、条件指定部３６４によって、ユーザが操作部３１の操作に応じて学習の開始が指定されたか否か判定される。ここでは、学習の開始が指定されるまで、ステップＳ３の判定処理が繰り返され、学習の開始が指定されれば、ステップＳ４に進む。例えば、画面ＧＣ５において学習開始ボタンＢＳ１がマウスポインタＭＰ１で押下されると、学習の開始が指定される。
【０１６０】
ステップＳ４では、学習条件設定部２６１によって、ステップＳ２で受け付けられた情報とステップＳ１で特定されたユーザ情報テーブル２４１内の個人情報とに基づいて、学習条件が設定される。
【０１６１】
ステップＳ５では、組合せ認識部２６２によって、ステップＳ４で設定された学習条件に応じて、組合せ情報ＤＢ２４２と出題ルール情報２４４とに基づき、出題に係る一組合せ情報が認識される。このとき、例えば、組合せ強度テーブル２４３に従って、組合せ情報ＤＢ２４２内の複数の組合せ情報のうちの一組合せ情報が認識され得る。
【０１６２】
ステップＳ６では、出題条件決定部２６３によって、ステップＳ５で認識された一組合せ情報と、組合せ強度テーブル２４３および出題ルール情報２４４とに基づいて、出題の条件が決定される。
【０１６３】
ステップＳ７では、出題情報生成部２６４によって、ステップＳ６で決定された出題の条件に基づき、出題条件情報が生成される。
【０１６４】
ステップＳ８では、症例画像抽出部２６５によって、ステップＳ５で認識された一組合せ情報に係る１以上の出題用症例画像が、記憶部２４内の症例画像ＤＢ２４５から抽出される。
【０１６５】
ステップＳ８からステップＳ９に移行する際に、情報出力部２６６によって、ステップＳ７で生成された出題条件情報と、ステップＳ８で抽出された１以上の出題用症例画像とが、Ｉ／Ｆ部２３と通信回線１ｎｗとを介して、端末機器３に出力される。そして、情報取得部３６１によって、出題条件情報と出題用症例画像とが取得される。
【０１６６】
ステップＳ９では、表示制御部３６２によって、ステップＳ８で抽出された出題用症例画像が表示部３２に表示される。ここでは、例えば、図１６で示される画面ＱＧ１が表示部３２に表示される。
【０１６７】
ステップＳ１０では、表示部３２に出題用症例画像が表示された状態で、ユーザによる操作部３１の操作に応じて信号受付部３６３で受け付けられる信号に応答して、各種の信号の入力が受け付けられる。例えば、画面ＱＧ１が表示部３２に表示された状態で、画面ＱＧ１上での各種操作が受け付けられる。
【０１６８】
図２８のステップＳ１１では、情報要求部３６５によって、ヒント１に係る参考情報が要求されたか否か判定される。なお、例えば、画面ＱＧ１において、ユーザが操作部３１を操作することで、マウスポインタＭＰ１でヒント１ボタンＢＨ１が押下されると、ヒント１に係る参考情報が要求されているものと判定され得る。ここでは、ヒント１に係る参考情報が要求されれば、ステップＳ１２に進む。このとき、情報要求部３６５によって、ヒント１に係る参考情報を要求する参考情報要求信号が出力される。一方、ヒント１に係る参考情報が要求されていなければ、ステップＳ１３に進む。
【０１６９】
ステップＳ１２では、表示制御部３６２によって、ヒント１に係る参考情報画像が表示部３２に表示される。例えば、情報要求部３６５から出力されるヒント１に係る参考情報要求信号に応答して、現在の出題に係る一組合せ情報のうちの一部の項目に係る１以上の語句が参考情報取得部２６８で取得され、出題情報生成部２６４で参考情報が生成される。そして、情報出力部２６６によって端末機器３に参考情報が出力され、該参考情報に基づきヒント１に係る参考情報画像が表示制御部３６２によって表示部３２に表示される。このヒント１に係る参考情報画像は、例えば、図１７で示されるように、ポップアップＰＵとして表示され得る。
【０１７０】
ステップＳ１３では、情報要求部３６５によって、ヒント２に係る参考情報が要求されたか否か判定される。ここでは、ヒント２に係る参考情報が要求されれば、ステップＳ１４に進む。例えば、画面ＱＧ１において、ユーザが操作部３１を操作することで、マウスポインタＭＰ１でヒント２ボタンＢＨ２が押下されると、ヒント２に係る参考情報が要求されているものと判定され得る。このとき、情報要求部３６５によって、ヒント２に係る参考情報を要求する参考情報要求信号が出力される。一方、ヒント２に係る参考情報が要求されていなければ、ステップＳ１５に進む。
【０１７１】
ステップＳ１４では、表示制御部３６２によって、ヒント２に係る参考情報画像が表示部３２に表示される。例えば、情報要求部３６５から出力されるヒント２に係る参考情報要求信号に応答して、現在の出題に係る一組合せ情報のうちの一部の項目に係る１以上の語句が参考情報取得部２６８で取得され、出題情報生成部２６４で参考情報が生成される。そして、情報出力部２６６によって端末機器３に参考情報が出力され、該参考情報に基づきヒント２に係る参考情報画像が表示制御部３６２によって表示部３２に表示される。
【０１７２】
ステップＳ１５では、信号受付部３６３によって、ユーザによる操作部３１の操作に応じて解答画面の表示が要求されたか否かが判定される。なお、例えば、画面ＱＧ１が表示部３２に表示された状態で、ユーザが操作部３１を操作することで、マウスポインタＭＰ１で解答画面ボタンＢＤＡ１が押下されると、解答画面の表示が要求されているものと判定され得る。ここでは、解答画面の表示が要求されなければ、図２７のステップＳ１０に戻る。一方、解答画面の表示が要求されれば、ステップＳ１６に進む。
【０１７３】
ステップＳ１６では、表示制御部３６２によって、ステップＳ７で生成された出題条件情報に基づいて、解答画面が表示部３２に表示される。例えば、信号受付部３６３が出力する解答画面要求信号に応答して、表示制御部３６２によって現在の出題に係る解答画面が表示部３２に表示される。そして、ここでは、例えば、表示制御部３６２によって表示部３２に表示される画面が、画面ＱＧ１から出題条件画像を表示する画面ＡＧ１（または画面ＡＧ２〜ＡＧ４，ＡＧ１ａ〜ＡＧ３ａ）に遷移する。
【０１７４】
ステップＳ１７では、信号受付部３６３によって、表示部３２に解答画面が表示された状態で、ユーザによる操作部３１の操作に応答して、各種の信号の入力が受け付けられる。例えば、画面ＡＧ１（または画面ＡＧ２〜ＡＧ４，ＡＧ１ａ〜ＡＧ３ａ）が表示部３２に表示された状態で、画面ＡＧ１（または画面ＡＧ２〜ＡＧ４，ＡＧ１ａ〜ＡＧ３ａ）上における各種操作が受け付けられる。
【０１７５】
ステップＳ１８では、情報要求部３６５によって、ユーザによる操作部３１の操作に応じて出題用症例画像の表示が要求されたか否かが判定される。例えば、画面ＡＧ１（または画面ＡＧ２〜ＡＧ４，ＡＧ１ａ〜ＡＧ３ａ）が表示部３２に表示された状態で、ユーザが操作部３１を操作することで、マウスポインタＭＰ１で画像表示ボタンＢＤ１が押下されると、出題用症例画像の表示が要求されているものと判定され得る。ここでは、出題用症例画像の表示が要求されていなければ、ステップＳ１９に進む。一方、出題用症例画像の表示が要求されれば、図２７のステップＳ９に戻る。
【０１７６】
ステップＳ１９では、解答受付部２６９によって、解答が決定されたか否か判定される。例えば、画面ＡＧ１（または画面ＡＧ２〜ＡＧ４，ＡＧ１ａ〜ＡＧ３ａ）が表示部３２に表示され、テキストボックスＴＢ１〜ＴＢ４にそれぞれ語句が表示された状態で、ユーザが操作部３１を操作することでマウスポインタＭＰ１によって解答決定ボタンＢＤＴ１が押下されると、解答指定部３６４によって解答を示す情報が決定され得る。ここでは、解答が決定されていれば、図２９のステップＳ２１に進み、解答が決定されていなければ、ステップＳ１７に戻る。
【０１７７】
図２９のステップＳ２１では、解答判定部２７０によって、解答として各項目に対して指定されている一選択肢としての一語句および／または空欄に係る一語句が、出題に係る一組合せ情報に対応する正答であるか否かが判定される。ここで、解答が正答であれば、ステップＳ２２に進む。一方、解答が正答でなければ、ステップＳ２３に進む。また、ここでは、例えば、解答が正答であれば、解答が正答である旨を示す情報が解答判定部２７０から情報出力部２６６と通信回線１ｎｗと情報取得部３６１とを介して表示制御部３６２に入力される。また、解答が正答でなければ、解答が正答でない旨を示す情報が解答判定部２７０から情報出力部２６６と通信回線１ｎｗと情報取得部３６１とを介して表示制御部３６２に入力される。
【０１７８】
ステップＳ２２では、表示制御部３６２によって、解答が正答である旨を示す情報に基づいて、表示部３２に正答画面が表示される。なお、正答画面としては、図１９で示される正答画面ＲＧ１等が採用され得る。
【０１７９】
ステップＳ２３では、表示制御部３６２によって、解答が正答でない旨を示す情報に基づいて、表示部３２に正答でない旨を示す画面（不正答画面とも言う）が表示される。このとき、例えば、不正答画面が所定時間表示された後、またはユーザによる操作部３１の操作に応じて、図２７のステップＳ９に戻る。
【０１８０】
ステップＳ２４では、得点付与部２７１によって、参考情報の表示の有無等に応じた得点が、ユーザ情報テーブル２４１の総得点に付与されることで、個人情報が更新される。ここでは、ユーザ情報テーブル２４１の総得点に応じて、学習レベルも変更される。
【０１８１】
ステップＳ２５では、情報要求部３６５によって、次の出題が要求されているか否か判定される。ここでは、次の出題が要求されるまでステップＳ２５の判定が繰り返され、次の出題が要求されれば、ステップＳ２６に進む。例えば、表示部３２に正答画面ＲＧ１が表示されている状態で、次へボタンＢＮ１がマウスポインタＭＰ１で押下されると、情報要求部３６５によって、次の出題が要求されているものと判定され得る。
【０１８２】
ステップＳ２６では、組合せ認識部２６２によって、ユーザ情報テーブル２４１と出題ルール情報２４４とに基づいて、次の出題があるか否か判定される。ここで、次の出題があれば、図２７のステップＳ５に進む。一方、ユーザの学習度が進んで、次の出題がなくなれば、本動作フローが終了される。
【０１８３】
＜(５)一実施形態のまとめ＞
一実施形態に係る学習支援システム１によれば、例えば、組合せ情報ＤＢ２４２の利用によって、出題用症例画像に対する診断に必要な診断情報だけでなく、周辺の関連した診断情報も利用して出題され得る。これにより、出題用症例画像に対する解答画面において、基本所見あるいは診断の可能性が示されたり、間違い易い複数の所見あるいは診断からの絞り込み等、様々な出題が容易に提供され得る。すなわち、複数の項目のうちの任意の項目について、語句の選択および語句の穴埋めの少なくとも一方を答えさせるような多様な切り口での出題が行われ得る。また、修飾語まで含めて、語句の選択および語句の穴埋めの少なくとも一方を行わせることも可能である。
【０１８４】
また、組合せ強度テーブル２４３の利用により、複数の語句の組合せに係る強度に応じた出題が可能である。また、ヒント１およびヒント２等といった参考情報が提示される構成により、出題条件の項目とは別に他の項目の語句を参考にして解答させる出題も可能である。更に、参考情報の表示の有無に応じて得点が変更され得るような細かい採点等も可能である。
【０１８５】
＜(６)変形例＞
なお、本発明は上述の実施の形態に限定されるものではなく、本発明の要旨を逸脱しない範囲において種々の変更、改良等が可能である。
【０１８６】
＜(６−１)第１変形例＞
上記一実施形態では、組合せ情報ＤＢ２４２に蓄積される各組合せ情報が、一診断情報に含まれる複数の項目に係る複数の語句と１以上の症例画像との組合せを示す情報を有していたが、これに限られない。例えば、各組合せ情報が、１以上の症例画像を有していなくても良い。この場合であっても、出題用症例画像が提示されることなく、解答画面において解答が求められるような形式の出題は可能である。
【０１８７】
以下、このような構成が採用される第１変形例に係る学習支援システムについて、上記一実施形態に係る学習支援システム１と異なる点について説明する。
【０１８８】
図３０は、第１変形例に係る難易度１の解答画面ＡＧ１ｂを例示する図である。第１変形例に係る難易度１の解答画面ＡＧ１ｂは、上記一実施形態に係る難易度１の解答画面ＡＧ１ａ（図２０）がベースとされて、選択肢としての各語句に係る表示要素ＯＰ４が、空欄ＥＣ４に置換されたものである。
【０１８９】
この解答画面ＡＧ１ｂでは、３項目「撮影条件」「基本部位」「基本所見」に対してそれぞれ１つの語句「立位正面像」「下肺野」「浸潤影」が予め指定されており、その条件において考えられ得る診断の候補が空欄ＥＣ４にて示されている。そこで、解答画面ＡＧ１ｂでは、例えば、各空欄ＥＣ４に語句を直接記入するか、テキストボックスＴＢ４に各空欄ＥＣ４に充当されるべき語句を記入することで、診断に係る語句を解答すれば良い。
【０１９０】
なお、図３０で示される解答画面ＡＧ１ｂでは、項目「診断」に係る４つの語句が全て空欄ＥＣ４で示されていたが、これに限られない。例えば、４つの語句のうちの一部の語句は示され、残余の一部の語句が空欄ＥＣ４で示される解答画面も考えられ得る。
【０１９１】
また、図３０の解答画面ＡＧ１ｂでは、項目「基本所見」について一語句が予め指定され、項目「診断」について複数の語句が空欄ＥＣ４で示されていたが、これに限られず、例えば、他の項目について複数の語句が空欄で示されても良い。例えば、図３１で示される解答画面ＡＧ１ｃのように、項目「基本所見」について複数の語句が空欄ＥＣ３で示され、項目「診断」について一語句が予め指定されても良い。また、例えば、他の項目の条件から考えられ得る項目「基本所見」に係る複数の語句のうちの一部の語句は示され、残余の一部の語句は空欄ＥＣ３で示される解答画面も考えられ得る。
【０１９２】
＜(６−２)第２変形例＞
上記一実施形態では、出題用症例画像に対する読影結果として、３項目「基本部位」「基本所見」「診断」のうちの１以上の項目について、選択肢または空欄に係る一語句が指定されたが、これに限られない。
【０１９３】
例えば、読影結果として、４項目「撮影条件」「基本部位」「基本所見」「診断」について、それぞれ１以上の語句が予め指定されており、複数の出題用症例画像から、読影結果に対応する１以上の出題用症例画像をユーザが指定しても良い。
【０１９４】
以下、このような構成が採用される第２変形例に係る学習支援システムについて、上記一実施形態に係る学習支援システム１と異なる点について説明する。
【０１９５】
出題情報生成部２６４が生成する出題条件情報では、組合せ情報ＤＢ２４２に含まれる複数の組合せ情報のうちの組合せ認識部２６２によって認識された２以上の組合せ情報に係る複数の語句が他の語句とは区別可能に示される。つまり、組合せ情報ＤＢ２４２の複数の組合せ情報に含まれる２以上の組合せ情報に基づき、所定数の項目（例えば、撮影条件、基本部位、基本所見、診断）について項目毎に１以上の語句が示され且つ２以上の診断条件を提示するため出題条件情報が生成される。一診断条件は、例えば、一組合せ情報に含まれる所定数の項目に係る複数の語句で構成される。この出題条件情報は、出題情報生成部２６４によって、出題ルール情報２４４に従って、組合せ情報ＤＢ２４２のうちの組合せ認識部２６２によって認識された２以上の組合せ情報に基づいて生成され得る。
【０１９６】
また、症例画像抽出部２６５は、記憶部２４内の症例画像ＤＢ２４５から、組合せ認識部２６２で認識された２以上の組合せ情報に係る２以上の出題用の典型的な症例画像を含む複数の出題用症例画像を抽出する。
【０１９７】
このようにして得られた２以上の出題用症例画像と出題条件情報に基づく出題条件画像とが、表示制御部３６２によって表示部３２に表示される。これにより、出題に係る画像が表示され得る。なお、２以上の出題用症例画像と出題条件画像とは、表示部３２に同時に表示されても良いし、ユーザの操作によって操作部３１から入力される信号に応答して表示部３２に順次に表示されても良い。
【０１９８】
ここで、複数の出題用症例画像と出題条件画像の表示態様について具体例を挙げて説明する。ここでは、組合せ認識部２６２で複数の組合せ情報が認識され、この複数の組合せ情報に含まれる各組合せ情報に係る出題用症例画像が症例画像抽出部２６５によって抽出される例を挙げて説明する。
【０１９９】
図３２は、複数の出題用症例画像を表示する解答画面ＩＧ１を例示する図である。図３３は、出題条件画像を表示する画面ＱＣ１を例示する図である。
【０２００】
解答画面ＩＧ１では、４つの出題用症例画像が配されている。また、解答画面ＩＧ１では、各出題用症例画像の下に、項目「診断」に係る選択肢「肺炎」「サルコイドーシス」「無気肺」「誤嚥性肺炎」が示され、ラジオボタンＲＢ１によって一選択肢が選択可能となっている。また、解答画面ＩＧ１では、右上部に、条件表示ボタンＢＸ１、解答決定ボタンＢＤＴ１、および終了ボタンＢＥ１が配されている。
【０２０１】
解答画面ＩＧ１では、条件表示ボタンＢＸ１がマウスポインタＭＰ１で押下されれば、表示部３２に表示される画面が、出題条件画像を表示する画面ＱＣ１に遷移する。
【０２０２】
画面ＱＣ１は、上記一実施形態に係る難易度１の画面ＡＧ１ａ（図２０）から解答決定ボタンＢＤＴ１が省略された画面である。ユーザは、画面ＱＣ１を視認することで、４つの項目「撮影条件」「基本部位」「基本所見」「診断」について、出題の条件に係る語句の組合せを認識することができる。
【０２０３】
例えば、図３３で示される画面ＱＣ１では、４通りの語句の組合せが視認することが可能である。４通りの語句の組合せは、次の第１〜４の語句の組合せである。第１の語句の組合せは、「立位正面像」と「右中肺野（縦隔側）」と「境界不明瞭な浸潤影」と「肺炎」の組合せである。第２の語句の組合せは、「立位正面像」と「右中肺野（縦隔側）」と「境界不明瞭な浸潤影」と「サルコイドーシス」の組合せである。第３の語句の組合せは、「立位正面像」と「右中肺野（縦隔側）」と「境界不明瞭な浸潤影」と「無気肺」の組合せである。第４の語句の組合せは、「立位正面像」と「右中肺野（縦隔側）」と「境界不明瞭な浸潤影」と「誤嚥性肺炎」の組合せである。
【０２０４】
ユーザは、この４通りの語句の組合せを確認した上で、画像表示ボタンＢＤ１をマウスポインタＭＰ１で押下することで、表示部３２に表示される画面を、解答画面ＩＧ１に遷移させることが可能である。
【０２０５】
ユーザは、解答画面ＩＧ１が表示された状態で、出題の条件を考慮しつつ、各出題用症例画像に対し、選択肢「肺炎」「サルコイドーシス」「無気肺」「誤嚥性肺炎」のうちの一語句を選択することが出来る。ここでは、ラジオボタンＲＢ１をマウスポインタＭＰ１で指定することで、各出題用症例画像に対し、選択肢「肺炎」「サルコイドーシス」「無気肺」「誤嚥性肺炎」のうちの一選択肢としての一語句が指定され得る。
【０２０６】
そして、解答決定ボタンＢＤＴ１がマウスポインタＭＰ１で押下されと、複数の出題用症例画像から、各診断に係る語句「肺炎」「サルコイドーシス」「無気肺」「誤嚥性肺炎」に対応する１以上の出題用症例画像が指定される。これにより、複数の出題用症例画像が、複数の診断に分類される。
【０２０７】
このとき、解答指定部３６６により、ユーザの操作によって操作部３１から入力される信号に応答して、複数の出題用症例画像から各診断に係る語句に対応する１以上の出題用症例画像が指定される。すなわち、各診断条件に対して出題用症例画像が指定される。そして、解答判定部２７０により、解答指定部３６６によって指定された診断条件と出題用症例画像との各組が、組合せ認識部２６２で認識された２以上の組合せ情報に対応するか否かが判定される。これにより、複数の症例画像を診断条件毎に分類させる出題が行われ得る。
【０２０８】
なお、画面ＱＣ１では、項目「診断」に対して、４つの語句「肺炎」「サルコイドーシス」「無気肺」「誤嚥性肺炎」が予め指定されていたが、これに限られず、一組合せ情報に係る１以上の語句が指定されていれば良い。つまり、一組合せ情報に係る１以上の診断条件が提示されれば良い。そして、解答画面ＩＧ１では、４つの出題用症例画像が示されたが、これに限られず、２以上の出題用症例画像が示されれば良い。
【０２０９】
この場合、例えば、出題情報生成部２６４が生成する出題条件情報では、複数の項目に含まれる所定数の項目（例えば、撮影条件、基本部位、基本所見、診断）について項目毎に１以上の語句が示される。また、該出題条件情報は、組合せ情報ＤＢ２４２のうちの組合せ認識部２６２によって認識された一組合せ情報に係る診断条件を提示するための情報となる。この出題条件情報は、出題情報生成部２６４により、出題ルール情報２４４に従って、組合せ情報ＤＢ２４２のうちの組合せ認識部２６２によって認識された一組合せ情報に基づいて生成され得る。
【０２１０】
また、症例画像抽出部２６５は、記憶部２４内の症例画像ＤＢ２４５から、組合せ認識部２６２で認識された一組合せ情報に係る１以上の出題用の典型的な症例画像と、該１以上の出題用症例画像とは異なる他の症例画像とを含む複数の出題用症例画像を抽出する。
【０２１１】
このようにして得られた複数の出題用症例画像および出題条件情報に基づく出題条件画像が、表示制御部３６２によって表示部３２に表示される。これにより、出題に係る画像が表示され得る。なお、複数の出題用症例画像と出題条件画像とは、表示部３２に同時に表示されても良いし、ユーザの操作によって操作部３１から入力される信号に応答して表示部３２に順次に表示されても良い。
【０２１２】
また、解答指定部３６６により、ユーザの操作によって操作部３１から入力される信号に応答して、２以上の出題用画像から１以上の出題用症例画像が指定される。そして、解答判定部２７０によって、解答指定部３６６によって指定された１以上の出題用症例画像が、組合せ認識部２６２によって認識された一組合せ情報に対応するか否かが判定される。このようにして、一診断情報について複数の項目の語句が示され、一診断情報に対する症例画像の当否を解答させる出題が行われ得る。
【０２１３】
このとき、例えば、解答判定部２７０では、解答指定部３６６によって指定された１以上の出題用症例画像が、組合せ認識部２６２によって認識された一組合せ情報に対応していれば、正解として判定されれば良い。これにより、複数の症例画像について、出題条件に対応する症例画像を選択させる出題が行われ得る。
【０２１４】
また、複数の出題用症例画像のうち、組合せ認識部２６２によって認識された一組合せ情報に対応していない１以上の出題用症例画像を指定させる出題の態様も考えられ得る。換言すれば、複数の出題用症例画像から出題条件に対応しない出題用症例画像を選択させる出題の態様が採用され得る。この場合、解答判定部２７０によって、解答指定部３６６によって指定された１以上の出題用症例画像が、組合せ認識部２６２によって認識された一組合せ情報に対応していない場合に、正解として判定される。
【０２１５】
図３４は、複数の出題用症例画像が一診断条件に合致するか否かを解答させる解答画面ＩＧ１ａを例示する図である。図３５は、出題条件画像を表示する画面ＱＣ１ａを例示する図である。
【０２１６】
解答画面ＩＧ１ａでは、４つの出題用症例画像が配されている。また、解答画面ＩＧ１ａでは、各出題用症例画像の下に、項目「診断」に係る選択肢「肺炎」「その他」が示され、ラジオボタンＲＢ１によって一選択肢が選択可能となっている。また、解答画面ＩＧ１ａでは、右上部に、条件表示ボタンＢＸ１、解答決定ボタンＢＤＴ１、および終了ボタンＢＥ１が配されている。
【０２１７】
解答画面ＩＧ１ａでは、条件表示ボタンＢＸ１がマウスポインタＭＰ１で押下されれば、表示部３２に表示される画面が、出題条件画像を表示する画面ＱＣ１ａに遷移する。
【０２１８】
画面ＱＣ１ａは、上記一実施形態に係る難易度１の画面ＡＧ１ａ（図２０）から解答決定ボタンＢＤＴ１が省略され、項目「診断」について４つの選択肢としての表示要素ＯＰ４の代わりに語句「肺炎」の表示要素ＣＤ４が予め指定された画面となっている。つまり、項目「診断」についての複数の語句を示す表示要素のうち、語句「肺炎」の表示要素ＣＤ４が他の表示要素とは区別可能な態様で示される。
【０２１９】
ユーザは、画面ＱＣ１ａを視認することで、４つの項目「撮影条件」「基本部位」「基本所見」「診断」について、出題の条件に係る語句の組合せを認識することができる。例えば、図３５で示される画面ＱＣ１ａでは、一組合せ情報に係る複数の語句が他の語句とは区別可能な態様で示されており、「立位正面像」と「右中肺野（縦隔側）」と「境界不明瞭な浸潤影」と「肺炎」との組合せを視認することが可能である。ここで、区別可能な態様としては、例えば、色が異なる態様等が採用され得る。
【０２２０】
ユーザは、この１通りの語句の組合せを確認した上で、画像表示ボタンＢＤ１をマウスポインタＭＰ１で押下することで、表示部３２に表示される画面を、解答画面ＩＧ１ａに遷移させることが可能である。ユーザは、解答画面ＩＧ１ａが表示された状態で、出題の条件を考慮しつつ、各出題用症例画像に対し、選択肢「肺炎」および「その他」の何れかを選択することが出来る。ここでは、ラジオボタンＲＢ１をマウスポインタＭＰ１で指定することで、各出題用症例画像に対し、選択肢「肺炎」および「その他」の何れかが指定され得る。
【０２２１】
そして、解答決定ボタンＢＤＴ１がマウスポインタＭＰ１で押下されると、各出題用症例画像が、一診断情報に係る語句「肺炎」に対応する１以上の出題用症例画像であるのか否かが指定される。
【０２２２】
なお、ここでは、解答画面ＩＧ１ａにおいて複数の出題用症例画像が同時に表示されたが、これに限られない。例えば、複数の出題用症例画像が順次に表示されて、一診断情報に係る語句に対応する出題用症例画像であるか否かを解答させるようにしても良い。
【０２２３】
＜(６−３)第３変形例＞
上記一実施形態では、得点付与部２７１が、解答判定部２７０によって解答が正答であると判定された場合に、記憶部２４内のユーザ毎の得点情報（例えば、総得点）に対して得点を付与したが、これだけに限られない。例えば、出題毎に、解答判定部２７０による判定結果および得点付与部２７１によって付与される得点等について統計情報が生成され、その統計情報によって出題ルール情報２４４が変更されても良い。
【０２２４】
図３６は、サーバ２で実現される第３変形例に係る統計処理および出題ルール情報２４４の変更についての機能的な構成を例示する図である。ここでは、サーバ２で実現される機能的な構成に、統計情報生成部２７６および出題ルール変更部２７７が追加される。
【０２２５】
統計情報生成部２７６は、解答判定部２７０による判定結果に基づいて出題毎の統計情報を生成する。ここで生成される統計情報は、例えば、統計情報テーブル２４９として記憶部２４に記憶される。統計情報テーブル２４９には、例えば、出題毎の正答率および項目毎の正答率等が記憶される。
【０２２６】
出題ルール変更部２７７は、統計情報テーブル２４９に基づいて、解答画面において選択肢および空欄が示される項目数、各項目に示される選択肢の数、各項目に示される空欄の数のうちの少なくとも何れかを変更する。例えば、難易度毎に、正答率が閾値よりも低ければ、解答画面における選択肢および空欄が示される項目数、各項目に示される選択肢の数、および各項目に示される空欄の数のうちの何れか１つの数が減らされ得る。これにより、正答に係る判定結果についての出題毎の統計情報に基づいて、出題方法が変更され得る。
【０２２７】
また、上記一実施形態、第１変形例、および第２変形例については、出題ルール変更部２７７によって、統計情報テーブル２４９に基づき、複数の出題が複数の難易度に分類されることで、出題ルール情報２４４が変更されても良い。例えば、各出題の正答率と、難易度毎に設けられる正答率の範囲とに基づいて、各出題が難易度別に分類され得る。また、例えば、正答率が所定値よりも低い出題が集められて、レベルの高い学習が提供されるようにしても良い。これにより、正答に係る判定結果についての出題毎の統計情報に基づいて、出題のタイミングおよび順番の少なくとも一方が変更され得る。また、出題の分類結果に基づいて、出題に対する得点が変更されても良い。
【０２２８】
また、ユーザの区分（クラスや施設等）毎に、点数、偏差値、正答率、レベルに関する情報が統計情報として生成されても良い。そして、その統計情報は、出題方法や教育方法等に対して様々な形で反映されても良い。
【０２２９】
また、カテゴリ毎および検査部位毎に、得点および正答率等の統計情報が生成されれば、学習者がどのカテゴリや検査部位に弱点があるのか把握可能となる。つまり、間違い易い箇所や内容等を統計的に容易に把握可能となる。そして、出題ルール変更部２７７によって、弱点を重点的に学習可能となるように出題ルール情報２４４が変更されても良い。また、カテゴリ毎および検査部位毎に、難易度毎の出題の分類方法を異ならせても良い。すなわち、統計情報が問題作成に再利用されても良い。
【０２３０】
このような統計情報の生成および出題ルールの変更は、ユーザの区分（クラスや施設等）毎に行われても良い。また、ユーザの区分（クラスや施設等）毎およびユーザ毎の各種統計情報が他の端末機器３〜７から閲覧可能となる態様も考えられ得る。この場合、各種統計情報に基づいて、各種のランキングが提示されても良い。
【０２３１】
このように、サーバにおいて各種統計情報が生成されれば、有益な統計情報が容易に得られる。
【０２３２】
＜(６−４)その他の変形例＞
◎例えば、上記一実施形態および上記第１〜３変形例では、ユーザが各端末機器３〜７を操作することで、単純に学習を行う形態について説明したが、これに限られない。
【０２３３】
上記一実施形態および上記第１〜３変形例について、一人の先生が、端末機器３〜７のうちの１つの端末機器を使用して、出題の対象となるモダリティおよび検査部位を指定することで、生徒が使用するその他の複数の端末機器に出題が提示される様にしても良い。また、一人の先生が、端末機器を使用して、出題に係る症例画像を指定するようにしても良い。そして、学習者毎に解答可能であるような集合学習が実現されても良い。
【０２３４】
このような構成により、出題者と解答者とが別の端末機器を使う教育環境が構築され得る。また、解答者が複数であれば、各解答者が別々の端末機器を使用する教育環境が構築され得る。
【０２３５】
このような構成について、上記第１変形例において、例えば、一人の先生が端末機器７を使用し、複数の生徒が端末機器３〜６を使用する具体例を想定して簡単に説明する。
【０２３６】
例えば、まず、端末機器７において、操作部３１から入力される信号に応答して制御部３６で信号が生成され、該信号が通信回線１ｎｗを介してサーバ２に送信される。次に、サーバ２において、制御部３６で生成される信号に応じて、出題情報生成部２６４により、出題ルール情報２４４に基づき、出題条件情報が生成される。この出題条件情報は、通信回線１ｎｗを介して、各端末機器３〜７の制御部３６によって取得される。次に、各端末機器３〜７において、制御部３６の制御によって表示部３２に出題条件情報に基づく出題条件画像が表示される。
【０２３７】
各端末機器３〜６では、ユーザによって操作部３１から入力される信号に応答して、出題条件画像が表示される画面における一選択肢および一語句のうちの少なくとも一方が解答指定部３６６によって指定される。このとき、端末機器７の制御部３６によって、各端末機器３〜６の解答指定部３６６によって指定された指定結果に係る情報が、通信回線１ｎｗを介して取得される。そして、端末機器７において、制御部３６の制御に基づき、各端末機器３〜６の解答指定部３６６によって指定された一選択肢および一語句のうちの少なくとも一方が表示部３２に表示される。
【０２３８】
また、上記第２変形例において、例えば、一人の先生が端末機器７を使用し、複数の生徒が端末機器３〜６を使用する具体例を想定して簡単に説明する。
【０２３９】
例えば、まず、端末機器７において、操作部３１から入力される信号に応答して制御部３６で信号が生成され、該信号が通信回線１ｎｗを介してサーバ２に送信される。次に、サーバ２において、制御部３６で生成される信号に応じて、出題情報生成部２６４により、出題ルール情報２４４に基づき、出題条件情報が生成される。また、サーバ２において、制御部３６で生成される信号に応じて、症例画像抽出部２６５により、記憶部２４内の複数の症例画像から、複数の出題用症例画像が抽出される。これらの出題条件情報と複数の出題用症例画像は、通信回線１ｎｗを介して、各端末機器３〜７の制御部３６によって取得される。これにより、各端末機器３〜７において、制御部３６の制御に基づいて出題条件情報に基づく出題条件画像と複数の出題用症例画像が表示部３２に表示される。
【０２４０】
各端末機器３〜６では、ユーザによって操作部３１から入力される信号に応答して、複数の出題用症例画像のうちの１以上の出題用症例画像が解答指定部３６６によって指定される。このとき、端末機器７の制御部３６によって、各端末機器３〜６の解答指定部３６６によって指定された指定結果に係る情報が、通信回線１ｎｗを介して取得される。そして、端末機器７において、制御部３６の制御に基づいて、各端末機器３〜６の解答指定部３６６によって指定された１以上の出題用症例画像が表示部３２に表示される。
【０２４１】
◎また、上記一実施形態および上記第１〜３変形例では、正答画面において、解説ボタンがマウスポインタＭＰ１で押下されると、解答に関する解説が表示されても良い。これにより、学習効果が高められ得る。
【０２４２】
◎また、上記一実施形態、上記第１および第３変形例では、組合せ強度テーブル２４３が利用されたが、これに限られず、組合せ強度テーブル２４３が利用されなくても良い。この場合、例えば、組合せ認識部２６２において決定され得る選択肢としての複数の語句が、出題に係る一組合せ情報の語句と、その他のランダムに決定される１以上の語句とを含む態様が考えられ得る。
【０２４３】
◎また、上記一実施形態、上記第１および第３変形例では、空欄に充当されるべき所望の語句がテキストボックスに記入されることで、空欄に係る一語句が指定されたが、これに限られない。例えば、空欄に係る一語句が、複数の語句の中からの選択によって指定されても良い。具体的には、例えば、複数の語句が列挙され、マウスポインタＭＰ１によってラジオボタンが押下されることで、空欄に係る一語句が指定されても良い。
【０２４４】
◎また、上記一実施形態および上記第１〜３変形例では、出題条件画像において、各項目に複数の語句が表示されたが、これに限られず、各項目には１以上の語句が表示されれば良い。つまり、例えば、出題に係る１以上の組合せ情報以外の語句は、殆ど表示されなくても良い。
【０２４５】
◎また、上記一実施形態および上記第１〜３変形例では、サーバ２と端末機器３〜７が通信回線１ｎｗを介して接続されることで、学習支援システム１が構成されていたが、これに限られない。例えば、図４、図５、および図３６で示された学習支援システム１に係る各種機能が、１台のコンピュータにおいて実現されても良い。
【０２４６】
◎また、上記一実施形態および上記第１〜３変形例では、端末機器３〜７において操作部３１の操作によってユーザが信号を入力したが、これに限られない。例えば、音声入力等といったその他の方式によってユーザが信号を入力するようにしても良い。
【０２４７】
◎また、上記一実施形態および上記第１〜３変形例では、組合せ情報ＤＢ２４２に蓄積される各組合せ情報において、各項目に１つの語句が含まれる例が挙げられたが、これに限られない。例えば、組合せ情報ＤＢ２４２に格納される１以上の組合せ情報において、少なくとも１以上の項目に、２以上の複数の語句が含まれても良い。
【０２４８】
◎なお、本発明は、医療および看護に関する学習システムだけにとどまらず、種々の分野における学習を支援するシステム一般に対して適用可能である。
【０２４９】
◎なお、上記一実施形態および各種変形例をそれぞれ構成する全部または一部を、適宜、矛盾しない範囲で組み合わせ可能であることは、言うまでもない。
【符号の説明】
【０２５０】
１  学習支援システム
１ｎｗ  通信回線
２  サーバ
２１，３１  操作部
２２，３２  表示部
２４，３４  記憶部
２６，３６  制御部
２４１  ユーザ情報テーブル
２４２  組合せ情報ＤＢ
２４３  組合せ強度テーブル
２４４  出題ルール情報
２４５  症例画像ＤＢ
２４６  辞書テーブル
２４７  解析ルール情報
２４９  統計情報テーブル
２６１  学習条件設定部
２６２  組合せ認識部
２６３  出題条件決定部
２６４  出題情報生成部
２６５  症例画像抽出部
２６６  情報出力部
２６７  要求受付部
２６８  参考情報取得部
２６９  解答受付部
２７０  解答判定部
２７１  得点付与部
２７２  診断受付部
２７３  診断解析部
２７４  情報更新部
２７６  統計情報生成部
２７７  出題ルール変更部
３６１  情報取得部
３６２  表示制御部
３６３  信号受付部
３６４  条件指定部
３６５  情報要求部
３６６  解答指定部
３６７  情報送信部
２７，３７  記憶媒体
２Ｐ，３Ｐ  プログラム
３〜７  端末機器
【図１】
0005732989.tif 000002
【図２】
0005732989.tif 000003
【図３】
0005732989.tif 000004
【図４】
0005732989.tif 000005
【図５】
0005732989.tif 000006
【図６】
0005732989.tif 000007
【図７】
0005732989.tif 000008
【図８】
0005732989.tif 000009
【図９】
0005732989.tif 000010
【図１０】
0005732989.tif 000011
【図１１】
0005732989.tif 000012
【図１２】
0005732989.tif 000013
【図１３】
0005732989.tif 000014
【図１４】
0005732989.tif 000015
【図１５】
0005732989.tif 000016
【図１６】
0005732989.tif 000017
【図１７】
0005732989.tif 000018
【図１８】
0005732989.tif 000019
【図１９】
0005732989.tif 000020
【図２０】
0005732989.tif 000021
【図２１】
0005732989.tif 000022
【図２２】
0005732989.tif 000023
【図２３】
0005732989.tif 000024
【図２４】
0005732989.tif 000025
【図２５】
0005732989.tif 000026
【図２６】
0005732989.tif 000027
【図２７】
0005732989.tif 000028
【図２８】
0005732989.tif 000029
【図２９】
0005732989.tif 000030
【図３０】
0005732989.tif 000031
【図３１】
0005732989.tif 000032
【図３２】
0005732989.tif 000033
【図３３】
0005732989.tif 000034
【図３４】
0005732989.tif 000035
【図３５】
0005732989.tif 000036
【図３６】
0005732989.tif 000037